(57)【要約】【課題】広い範囲のサイズの装着者に合わせてフィットするように高度のストレッチ性を有する引っ張って身に付けるタイプの使い捨て衣類を提供することである。【解決手段】シャシー層４０と液体透過性第一層８６との間の吸収性コア８４；上記第一層に取り付けられず弾性スペース部材９４が設けられた立ち上がり部分９２と立ち上がり部分から横方向外方に延出したフラップ部９０を夫々が含む１対のバリヤー層８８；夫々が部分的に襞つけされていない中央パネル，弾性延び可能サイドパネル６４，６４’，シームパネル６６，６６’を有し、前部２６及び後部２８でシャシー層の外側表面上に配置され、サイド縁部７２，７２’の一方から他方へと前部及び後部を横切り横方向に連続延出し末端縁部７０，７０’から脚部縁部７１，７１’へと長手方向に延出し、シャシー層に接合された第一及び第二ベルト層４２，４４と；を備え、シームパネルで相互接合された第一及び第ニベルト層が連続ベルト３８を形成する。【選択図】    図１
2004305767.tif 000002
【特許請求の範囲】
【請求項１】
長手方向中心線，横方向中心線，前部，後部，そして前部と後部との間の股部を有しており、前部は末端縁部と脚部縁部とサイド縁部とを有し、後部は末端縁部と脚部縁部とサイド縁部とを有し、そして股部は脚部縁部している、引っ張って身に付けるタイプの使い捨て衣類であって：
内側表面及び外側表面を有しているシャシー層と；
液体透過性第一層と；
シャシー層と液体透過性第一層との間に配置された吸収性コアと；
立ち上がり部分とフラップ部とを夫々が備えていて、立ち上がり部分は液体透過性第一層に取り付けられておらず弾性スペース部材が設けられており、フラップ部は立ち上がり部分から横方向の外方に延出している、１対のバリヤー層と；
少なくとも部分的に襞つけされていない中央パネル，弾性的に延びが可能なサイドパネル，そしてシームパネルを有していて、前部においてシャシー層の外側表面上に配置され、一方のサイド縁部から他方のサイド縁部へと前部を横切って横方向に連続して延出しているとともに末端縁部から少なくとも脚部縁部へと長手方向に延出しており、シャシー層に接合されている第一ベルト層と；そして、
少なくとも部分的に襞つけされていない中央パネル，弾性的に延びが可能なサイドパネル，そしてシームパネルを有していて、後部においてシャシー層の外側表面上に配置され、一方のサイド縁部から他方のサイド縁部へと後部を横切って横方向に連続して延出しているとともに末端縁部から少なくとも脚部縁部へと長手方向に延出しており、シャシー層に接合されている第ニベルト層と；
を備えており、
シームパネルにおいて相互に接合されている第一ベルト層及び第ニベルト層により連続ベルトが形成されている、ことを特徴とする引っ張って身に付けるタイプの使い捨て衣類。
【請求項２】
吸収性コアの後に液体不透過性バックシートを備えている、ことを特徴とする請求項１に記載の引っ張って身に付けるタイプの使い捨て衣類。
【請求項３】
連続ベルトは不織布ウエブから製造されている、ことを特徴とする請求項１に記載の引っ張って身に付けるタイプの使い捨て衣類。
【請求項４】
第一ベルト層及び第ニベルト層のサイドパネルは横方向に延び可能である、ことを特徴とする請求項１に記載の引っ張って身に付けるタイプの使い捨て衣類。
【請求項５】
弾性ウエスト部材をさらに備えている、ことを特徴とする請求項１に記載の引っ張って身に付けるタイプの使い捨て衣類。
【請求項６】
シャシー層に接合されている少なくとも１つの弾性脚部部材により形成されているガスケットカフスをさらに備えている、ことを特徴とする請求項１に記載の引っ張って身に付けるタイプの使い捨て衣類。
【発明の詳細な説明】
【技術分野】
【０００１】
本発明は、装着者の脚を脚部開口部に挿入し、衣類を胴体下部の周りの定位置にずらしながら引上げて配置することによって身に付けられる引っ張って身に着けるタイプの使い捨て衣類に関する。このようなタイプの使い捨て衣類の例には、使い捨て下着、パンツ型おむつ、排泄しつけ用パンツ、及び月経用の使い捨てパンティーが含まれる。本発明はより詳しくは、引っ張って身に着けるタイプの一体型の使い捨て吸収性衣類、例えばパンツ型おむつ、排泄しつけ用パンツ、引っ張って身に着けるタイプの失禁用ショーツ等に関する。
【背景技術】
【０００２】
乳幼児及びその他の失禁のある人々は、尿及びその他の体内からの滲出物を受入れて封じ込めるために、例えばおむつのような使い捨て吸収体を装着している。固定サイド部を有する吸収性衣類（例えば排泄しつけ用パンツ又はパンツ型おむつ）は、歩行可能であって、多くはトイレのしつけ中の子供に用いるものとして一般的なものになっている。体内からの滲出物を封じ込めるため、及び様々な体形及びサイズに合わせるために、これらのパンツは、胴体の定位置から垂れ下がったり、たるんだり、ずり落ちたりせずに、装着者のウエストと脚部の周りにしっかりとフィットし、同様に製品がきつすぎることによって皮膚に刺激を与えたりせずに、より体の大きい装着者にもフィットするものでなければならない。従ってこのパンツは、ウエストと脚部に弾性的延伸性を有するものであり、弾性部が高度のストレッチ性を与えるものでなければならない。
【０００３】
排泄しつけ用パンツ及び引っ張って身に着けるタイプのおむつの多くには、ウエストと脚部開口部に、弾性的に収縮しうる条件で固定された通常の弾性要素が用いられている。一般に、例えば耐久性のある下着に備えられているように、脚部とウエストの周りに十分な弾性フィットを確保するために、脚部開口部及びウエスト開口部は、開口部の曲線に沿って配置された、ゴム又はその他の材料の弾性帯によって取囲まれている。これらのパンツは一般に、「風船型」パンツとして特徴付けられている。これは、この製品の特定のゾーンにある弾性帯によって収縮が生じる一方で、残りの材料がゆったりとしたひだになって垂れているからである。このような排泄しつけ用パンツの例は、１９９２年１２月１５日のＩｇａｕｅらの米国特許第５，１７１，２３９号、及び１９８６年９月9日のＳｔｒｏｈｂｅｅｎらの米国特許第４，６１０，６８１号に開示されている。収縮弾性開口部が様々なサイズの装着者に合わせるように伸張するという事実によって、これらのパンツは、様々なウエスト及び脚部サイズへのフィットを可能にするが、これらの製品はいまだに、限られた範囲のサイズにしかフィットしない。これは、弾性要素が収縮状態にあり、高度のストレッチ性を有していないからである。ウエスト開口部及び脚部開口部に用いられる狭い弾性帯は、「フィット（ｆｉｔｍｅｎｔ）」力を装着者の体の狭いゾーンに集中させる傾向があり、これによって装着者の皮膚に痕が付く可能性が増すことになる。さらには製品のサイド部及びその他のものは一般に弾性的な延伸性がなく、このためフィットが悪くなる。
【０００４】
風船型パンツのこの欠点を克服するために、弾性ストランドを製品の前部及び後部全体に渡して配置した製造業者もある。例えば１９９３年９月１６日に公告されたＷＯ第９３／１７６４８号は、前部及び／又は後部が弾性的に収縮するものであり、吸収性コアの末端部がこれらの部位に配置されているパンツ型おむつを開示している。これらの追加弾性ストランドは、吸収性コアの末端区域を含むパンツの前部及び後部のウエスト部分全体を収縮させる働きをする。これによって、ウエスト部位において製品のより大きな伸張が可能になるが、これにより吸収性コアにしわが寄り、ウエスト開口部にこぶができる。このようにしわとこぶができる結果、ウエスト部分では漏れのリスクが高くなる。これは、吸収性コアに沿って通路ができ、これによって体内からの滲出物が、ウエストから滲み出たり流れ出たりすることになるからである。吸収性コアがこのようにしわになることにより、この製品は風船型パンツほど見た目に感じがよいものではないという点で、製品の外見にも影響が及ぼされる。
【０００５】
もう１つのタイプの排泄しつけ用パンツは、１９９０年７月１０日にＶａｎ Ｇｏｍｐｅｌらに発行された米国特許第４，９４０，４６４号に示されている。ここにおいて、パンツ様衣類は、個別のストレッチ性部材を、この衣類の本体のサイド縁部に付着させて形成される。この伸縮性部材によって、ストレッチ性部材が伸張して装着者のサイズに合わせるので、この製品は、様々なサイズにフィットすることができる。しかしながら、この製品及び製造方法において、ストレッチ性部材を備えた本体のシーミングが大きな問題である。シームは、極度に強く、かつ装着する際及び使用中の大きな力を処理することができるように作られなければならない。パンツは使用中に大きな力と応力を受け、これによってサイドパネルが壊れたり、本体部分から裂けたりすることがある。さらには、これらの別々のストレッチ性部材を厳しく制御するには製造工程が複雑になり、これらのパンツは消費者にとってさらに高価なものになる。本体部分へ付けられるシームも、製品の上部及び底部にフィット力を集中させる傾向があり、その結果シームが裂けることが多くなり、衣類のフィットが悪くなる。
【０００６】
１９９３年９月２１日にＨａｓｓｅ、Ｂｒｉｄｇｅｓ及びＭｉｌｌｅｒに発行された米国特許第５，２４６，４３３号は、ストレッチラミネートサイドパネルと共に弾性ウエストバンド及び脚部バンドを有するパンツを開示している。サイドパネルにおけるストレッチラミネートは、製品のサイド部にストレッチを与え、パンツを装着者によりよくフィットさせる。ストレッチラミネートは、パンツのその他の部分と一体型であり、これに付着した離れた別々の弾性パネル部材を有するパンツに関連した欠点を克服している一方で、通常の風船型パンツよりフィットが改良されている。しかしながらこれらのパンツには、装着者がパンツを自分で引張って簡単に身に付けるほど十分にはサイドパネルがストレッチしないという欠点がある。ここに開示されたストレッチラミネートは、限定量のストレッチしか与えない。さらにはストレッチラミネートを形成するために用いられる材料は、使用中に裂けたり千切れたりして、その結果製品が製造者によってスクラップされるという問題が生じることがある。
【特許文献１】米国特許第５，１７１，２３９号明細書
【特許文献２】米国特許第４，６１０，６８１号明細書
【特許文献３】ＷＯ第９３／１７６４８号明細書
【特許文献４】米国特許第４，９４０，４６４号明細書
【特許文献５】米国特許第５，２４６，４３３号明細書
【発明の開示】
【発明が解決しようとする課題】
【０００７】
従って、この衣類が広い範囲のサイズの装着者に合わせてフィットするように、引っ張って身に着けるタイプの使い捨て衣類に高度のストレッチ性を与えることが、本発明の目的である。
【課題を解決するための手段】
【０００８】
本発明の引っ張って身に付けるタイプの使い捨て衣類は、長手方向中心線，横方向中心線，前部，後部，そして前部と後部との間の股部を有しており、前部は末端縁部と脚部縁部とサイド縁部とを有し、後部は末端縁部と脚部縁部とサイド縁部とを有し、そして股部は脚部縁部している、引っ張って身に付けるタイプの使い捨て衣類であって：
内側表面及び外側表面を有しているシャシー層と；
液体透過性第一層と；
シャシー層と液体透過性第一層との間に配置された吸収性コアと；
立ち上がり部分とフラップ部とを夫々が備えていて、立ち上がり部分は液体透過性第一層に取り付けられておらず弾性スペース部材が設けられており、フラップ部は立ち上がり部分から横方向の外方に延出している、１対のバリヤー層と；
少なくとも部分的に襞つけされていない中央パネル，弾性的に延びが可能なサイドパネル，そしてシームパネルを有していて、前部においてシャシー層の外側表面上に配置され、一方のサイド縁部から他方のサイド縁部へと前部を横切って横方向に連続して延出しているとともに末端縁部から少なくとも脚部縁部へと長手方向に延出しており、シャシー層に接合されている第一ベルト層と；そして、
少なくとも部分的に襞つけされていない中央パネル，弾性的に延びが可能なサイドパネル，そしてシームパネルを有していて、後部においてシャシー層の外側表面上に配置され、一方のサイド縁部から他方のサイド縁部へと後部を横切って横方向に連続して延出しているとともに末端縁部から少なくとも脚部縁部へと長手方向に延出しており、シャシー層に接合されている第ニベルト層と；
を備えており、
シームパネルにおいて相互に接合されている第一ベルト層及び第ニベルト層により連続ベルトが形成されている、ことを特徴とする。
【発明の効果】
【０００９】
このような構成の引っ張って身に付けるタイプの使い捨て衣類は、広い範囲のサイズの装着者に合わせてフィットするように高度のストレッチ性を有する。
【発明を実施するための最良の形態】
【００１０】
明細書は、本発明を形成すると見做されている主題を特に指摘し、明確にクレームする特許請求の範囲で結論付けてはいるが、本発明は、添付図面と共に考慮される次の記載からよりよく理解されると考えられる。図面において同様な記号は実質的に同じ要素を示すために用いられている。
【００１１】
ここで用いられている「引っ張って身に着けるタイプの衣類」は、画定されたウエスト開口部と１対の脚部開口部とを有し、脚を脚部開口部に挿入し、製品をウエストに引き上げることによって、装着者の体に付けられる衣類のことを言う。「使い捨て」という用語は、ここでは、洗濯されたり、あるいは復元されたり、あるいは衣類として再使用されたりするためのものではない衣類について記載するために用いられる（すなわちこれらはただ一回の使用後に捨てられるものであり、好ましくはリサイクルされるか、堆肥にされるか、あるいは環境に優しい方法で処分されるためのものである）。「一体型」の引っ張って身に着けるタイプの衣類は、統合された別々の部分から構成されて、調和した全体を形成するタイプの衣類のことを言う。引っ張って身に着けるタイプの衣類はまた好ましくは、体内から排出された様々な滲出物を吸収して封じ込めるために「吸収性がある」。本発明の引っ張って身に着けるタイプの衣類の好ましい実施態様は、図１に示されている、引っ張って身に着けるタイプの一体型の使い捨て吸収性衣類、すなわち引っ張って身に着けるタイプのおむつ２０である。ここで用いられている「引っ張って身に着けるタイプのおむつ」という用語は、尿及び大便を吸収し封じ込めるために、乳幼児及びその他の失禁のある人々が一般に装着する引っ張って身に着けるタイプの衣類のことを言う。しかしながら本発明はまた、その他の引っ張って身に着けるタイプの衣類、例えば排泄しつけ用パンツ、失禁用ショーツ、女性の衛生衣類又はパンティー等にも適用できると理解すべきであろう。
【００１２】
図１は、本発明の引っ張って身に着けるタイプのおむつ２０の透視図である。このおむつ２０は、外側表面２２、外側表面２２の反対側にある内側表面２４、前部２６、後部２８、股部３０、前部２６と後部２８とを接合して脚部開口部３４とウエスト開口部３６を形成するシーム３２を有する。連続ベルト３８が、ウエスト開口部３６の周りに形成されている。連続ベルト３８は、動的なフィット力を生じて、装着中に動的に発生したこれらの力を分配する働きをする。従っておむつ２０は好ましくは、シャシー層４０；第一ベルト層４２；第二ベルト層４４；前部２６の各サイドパネルに配置された弾性的延伸性のストレッチラミネート、すなわち前部ストレッチラミネート４６；後部２８の各サイドパネルに配置された弾性的延伸性のストレッチラミネート、すなわちバックストレッチラミネート４８；及び前部２６と後部２８の両方に配置された弾性ウエスト部材５０を備えている。おむつ２０はさらに弾性脚部部材５２を備えている。（もう１つの実施態様において、開口部又は通気孔（図示されていない）が、最も好ましくはおむつ２０の少なくともサイドパネルに備えられて、通気性及び換気を与える）。第一ベルト層４２と第二ベルト層４４（ベルト層）が好ましくは、布の外見を有する不織布ウエブであり、シャシー層４０が好ましくはプラスチックフィルムであるので、おむつ２０は、次の点において独特の美的特徴を有する。すなわち介護者及び装着者が、ウエスト部位において衣類様の快適性及び感触を有すると認識する一方で、股部では封じ込めという利点を認識するという点である。
【００１３】
図２は、図１に示したおむつ２０を広げた非収縮状態における簡略平面図を示す。ここでは様々なパネル、及びこれらの互いに対する配置が示されている。「パネル」という用語はここでは、おむつ又はベルトの区域又は要素を表わすために用いられている。（パネルは一般に明確な区域又は要素であるが、パネルはまた隣接するパネルと幾分一致（機能的に対応）することもある。）おむつ２０は、主パネル５６と１対の脚部フラップパネル５８を備えた股部３０；ウエストバンドパネル６０と中間パネル６２を備えた中央パネル、サイドパネル６４、及びシームパネル６６を備えている前部２６；ウエストバンドパネル６０′と中間パネル６２′とを備えた中央パネル、サイドパネル６４′及びシームパネル６６′とを備えている後部２８を有する。股部３０は、連続ベルト（もう１つのパネル）がここから発するパンツ型おむつの部分である。吸収性コアは一般に、主パネル５６内に位置している。その理由は、滲出物が一般にこの部位に排出されるからである。但し吸収性コアは一般にベルトの中間パネル６２及び６２窒フ中まで延びている。脚部フラップパネル５８は一般に、主パネル５６の各サイド縁部６８からこれに沿って一般に側面方向に外側に延びている。各脚部フラップパネル５８は一般に、弾性脚部部材の少なくとも一部を形成する。連続ベルト（前部２６及び後部２８）は、股部３０（主パネル５６及び脚部フラップパネル５８）の各側面縁部６９からこれに沿って一般に長手方向に外側に延びている。前部２６において、中央パネルの中間パネル６２は、股部３０の側面縁部６９からこれに沿って一般に長手方向に外側に延びている。ウエストバンドパネル６０は、中間パネル６２からこれに沿って一般に長手方向に外側に延びている。サイドパネル６４は、中央パネルからこれに沿って一般に側面方向に外側に延びている。シームパネル６６は各々各サイドパネル６４からこれに沿って一般に側面方向に外側に延びている。後部２８において、中央パネルの中間パネル６２′は、股部３０のもう１つの側面縁部６９からこれに沿って一般に長手方向に外側に延びている。ウエストバンドパネル６０′は、中間パネル６２′からこれに沿って一般に長手方向に外側に延びている。サイドパネル６４′は各々、中央パネルからこれに沿って一般に側面方向に外側に延びている。シームパネル６６′は各々、各サイドパネル６４′からこれに沿って一般に側面方向に外側に延びている。前部２６はまた、そのパネルに加えて、末端縁部７０、脚部縁部７１、及びサイド縁部７２を有している。後部２８はまた、そのパネルに加えて、末端縁部７０′、脚部縁部７１′及びサイド縁部７２′を有している。股部３０は脚部縁部７４を有している。
【００１４】
図３は、図１に示したおむつ２０を広げた非収縮状態にあるものの、一部が切り取られている平面図である（すなわちサイドパネル６４以外は弾性によって誘発された収縮が広げられており、ストレッチラミネート（前部ストレッチラミネート４６及びバックラミネート４８）が弛緩状態に置かれている）。外側表面２２が見る人の側に向いており、これは前部２６と後部２８がシーム３２によって接合される前の状態である。おむつ２０の外側表面２２は、使用中に装着者の体から離れて配置されている部分である。示されている実施態様において、おむつ２０の外側表面２２は、前部２６の第一ベルト層４２、後部２８の第二ベルト層４４、及び股部３０のシャシー層４０を備えている。（おむつの内側表面２４は、外側表面２２の反対側にあり、使用中に装着者の体に隣接して配置されるおむつの部分を備える。）
図３に示されている実施態様において、シャシー層４０は、好ましくは連続シート又はウエブを備えており、これは前部２６、後部２８、及び股部３０を画定している。従ってシャシー層４０は、引っ張って身に着けるタイプのおむつの主要層状体（ｓｒａｔｕｍ）又は主要層である。（ここで用いられている「層」という用語は、次の点で、必ずしも要素を単一材料層に限定するものではない。すなわち１つの層は実際に、必要とされる種類の材料のシート又はウエブのラミネート又は組合わせを備えていてもよい。）シャシー層４０は内側表面７６（図３に示されていない）及び外側表面７７を有している。シャシー層４０の内側表面７６及び外側表面７７は、配向においておむつ２０の内側表面２４及び外側表面２２に対応する。シャシー層４０は好ましくは前部２６、後部２８、及び股部３０を画定しているので、シャシー層４０はまた前記のような対応する部位及びパネルを有している。（単純化のために、これらの部位及びパネルは、図面において、図２に示されているような対応するおむつ部位及びパネルと同じ参照番号で示されている。）第一ベルト層４２は、前部２６のシャシー層４０の外側表面７７に配置されており、前部２６において連続的に側面方向に１つのサイド縁部７２からもう１つのサイド縁部７２まで延びており、長手方向には末端縁部７０から少なくとも脚部縁部７１まで延びている。第一ベルト層４２は好ましくはシャシー層４０に接着されている。第二ベルト層４４は、後部２８のシャシー層４０の外側表面７７に配置されており、後部２８において連続的に側面方向に１つのサイド縁部７２′からもう１つのサイド縁部７２′まで延びており、末端縁部７０′から少なくとも脚部縁部７１′まで延びている。第二ベルト層４４は好ましくはシャシー層４０に接着されている。このようにして各ベルト層は、シャシー層４０と共に、装着者のウエストの周りに（図１に示されているように）連続ベルトを形成する。次に詳細に記載されるように、このベルトは様々なゾーンにおいて、おむつ２０のフィットと封じ込めを強化するために、様々な弾性延び特性を有する。
【００１５】
弾性的に延伸性のストレッチラミネート（前部ストレッチラミネート４６及び後部ストレッチラミネート４８）は、前部２６及び後部２８の両方の各サイドパネルに形成されている。各前部ストレッチラミネート４６は少なくとも、サイドパネルに第一ベルト層４２の部分と、これに接着された弾性パネル部材７８と、この特別な実施態様においてはサイドパネルを形成するシャシー層４０の部分を備えている。好ましくは弾性パネル部材７８は、シャシー層４０と第一ベルト層４２との間に配置されており、より好ましくは末端縁部７０から長手方向に、最も好ましくは脚部縁部７１まで延びている。各後部ストレッチラミネート４８は少なくとも、各サイドパネルに第二ベルト層４４の部分と、これに接着された弾性パネル部材７８′と、この特別な実施態様においてはサイドパネルを形成するシャシー層４０の部分を備えている。好ましくは弾性パネル部材７８′は、シャシー層４０と第二ベルト層４４との間に配置されており、より好ましくは末端縁部７０′から長手方向に、最も好ましくは脚部縁部７１′まで延びている。図３に示されたおむつの実施態様において、各ストレッチラミネートは好ましくはさらに、サイドパネルにトップシート８０の部分（バリアー層）を備えている。各ストレッチラミネートは機械的に延伸されるか圧伸され（ｄｒａｗｎ）（歪線（ｓｔｒａｉｎ ｌｉｎｅ）によって示されている）、ストレッチラミネートが少なくとも側面方向に弾性的に延伸性のあるものにされる。（側面方向（ｘ方向又は幅）は、おむつの側面方向中心線に平行な方向として定義される。長手方向（ｙ方向又は長さ）は、長手方向中心線に平行な方向として定義される。軸方向（ｚ方向又は厚さ）は、おむつの厚さを通って延びる方向として定義される）。
【００１６】
弾性ウエスト部材５０が、前部２６、後部２８、あるいは好ましくは前部２６と後部２８の両方のウエストバンドパネルに備えられている。弾性ウエスト部材５０は、弾性的に延伸性の部材、好ましくはギャザーのある弾性的に収縮しうる部材を生じて、中心パネルにおいて装着者のウエストに動的にフィットし、ウエストの形に合う。示された実施態様において、弾性ウエスト部材５０は好ましくは一体型ウエストキャップ／ウエストバンド８２を備えている。これは、弾性的に収縮しうる条件で、ウエストバンドパネルにおいて、好ましくはトップシート８０の第一層に、操作によって（ｏｐｅｒａｔｉｖｅｌｙ）接着される。この一体型ウエストキャップ／ウエストバンド８２は、パンツ型おむつ２０のウエスト開口部及び収縮性ウエストバンドからの滲出物の漏れに対するバリヤーとしての働きをし、装着者のウエストの周りにパンツ型おむつ２０のフィットを与える。最も好ましい実施態様において、一体型ウエストキャップ／ウエストバンドはまた通気性があり、ウエスト開口部の近くにおいてパンツ型おむつからの水蒸気の換気を可能にする。
【００１７】
おむつ２０にはまた、股部３０において脚部のフィットを改良するための弾性脚部部材５２が備えられている。おむつ２０はさらに、トップシート８０、及びトップシート８０とシャシー層４０との間に配置された吸収性コア８４を備えており、排出された滲出物を封じ込めるための連続ベルトと共同作用をする吸収性集成体を生じる。また通気性又は換気を備えるために、開口部又は通気孔（図示されていない）がサイドパネルに配置されてもよい。
【００１８】
図４は、前部２６における図３の４−４線に沿う本発明のおむつ２０の横断面透視図である。シャシー層４０は、おむつ２０の第一層状体又は層を形成しているのが見られ、これは内側表面７６と外側表面７７とを有する。第一ベルト層４２は、シャシー層４０の外側表面７７に配置されて、前部２６においておむつ２０の外側表面２２を形成する。弾性パネル部材７８は、好ましくは第一ベルト層４２とシャシー層４０との間に配置されている。トップシート８０は、シャシー層４０の内側表面７６上に配置され、これに接着されている。トップシート８０は好ましくは、液体透過性第一層８６と２つのバリヤー層８８を備えている。バリヤー層８８は、第一層８６から側面方向に外側にサイド縁部７２まで延びている。各バリヤー層８８は、フラップ部分９０と立ち上がり部分９２とを備えている。立ち上がり部分９２は第一層８６に接着されず、1つ又は複数の弾性スペース部材９４のギャザー力によって、立ち上がり部分９２を第一層８６の表面から立ち上がらせて、使用中にバリヤー又は壁を形成することができるようにしている。フラップ部分９０は、立ち上がり部分９２（近位縁部）から側面方向に外側にサイド縁部７２まで延びている。吸収性コア８４は、好ましくは第一層８６とシャシー層４０との間に配置されている。後部２８の構成は好ましくは前部２６の構成と同一である。
【００１９】
図５は、本発明のおむつ２０を広げた非収縮状態における（すなわちサイドパネル以外は弾性によって誘発された収縮が広げられており、ストレッチラミネートが弛緩状態にある）一部が切り取られている平面図である。おむつ２０の内側表面２４が見る人の側に向いており、これは前部２６と後部２８がシームによって接合される前の状態である。体内からの滲出物を封じ込めるために必要な吸収性を備えるために、おむつ２０は液体透過性トップシート８０と、トップシート８０とシャシー層４０との間に配置された吸収性コア８４を備えている。図５に示された実施態様において、トップシート８０は好ましくは、接合された３つの異なる層を備えている。液体透過性の第一層８６が、吸収性コア８４の上に配置され、液体を素早く製品内に吸収する。バリヤー層８８は第一層８６に接着され、好ましくは圧伸性があり（ｄｒａｗａｂｌｅ）、より好ましくは疎水性であり、サイドパネルが綻びも裂けもせずに機械的延伸されうる一方で、おむつ２０のサイド部に沿ってバリヤーカフスを生じる。バリヤー層８８は、フラップ部分９０と、通路又は立ち上がり部分９２とを有し、弾性脚部部材５２の様々な要素を生じる。弾性脚部部材５２は、好ましくはガスケットカフスとバリヤーカフスを備えている。ガスケットカフスは好ましくは１つ又はそれ以上の弾性脚部部材９６から形成されている。この部材は操作によって、シャシー層４０、バリヤー層８８、又はこれらの両方に、好ましくは股部３０の脚部フラップパネルにおいてシャシー層４０と、バリヤー層８８のフラップ部９０との間において接着される。バリヤーカフスは好ましくはフラップ（バリヤー層８８の立ち上がり部分９２）、立ち上がり部分９２の長手方向末端部を第一層８６に固定させるための閉鎖手段９８、及び立ち上がり部分９２に操作によって接着される弾性スペース部材９４から形成されている。
【００２０】
図１に示されている本発明のおむつの構成において、連続ベルト３８がウエスト開口部３６の周りに形成されている。このベルト３８は、装着者に配置された場合、おむつに動的にフィット力を生じて、体内からの滲出物が負荷された場合でさえこのおむつを装着者に維持し、従って吸収性コアを装着者の非常に近くに保持し、装着中にウエストの周りに発生した力を動的に分散させ、これによって、おむつの中間パネルにおいて吸収性コアがかたまったりこぶになったりせずに、吸収性コアに対する補足的支持を生じるような働きをする。ベルトは次のように設計されている。すなわちいくつかのセグメントにおいて弾性的に延伸性のあり、ウエスト開口部の周りのその他のセグメントにおいて少なくとも弾性的に延伸性があり、好ましくは弾性的に収縮性のあるもの；脚部開口部の一部の周りで弾性的に延伸性のあるもの；及び吸収性コアが位置する中間パネルにおいてしわが寄ったりこぶになったりしないようなものである。ベルトの弾性延伸性はまた、「力／延び壁」を有しており、この壁を越えてはベルトは弾性的に延びず、おむつがさらに付けやすくなるようにされている。その理由は、おむつが過度にストレッチせず、これによって製品をお尻に被せやすくするからである。この「力／延び壁」は、この製品を自分で装着するが、全体にストレッチ性のある製品をお尻の上に引張って配置することが完璧にはできない小さい子供には特に重要である。またこのベルトは、ベルトウエブが吸収性コアを取囲んでいるので、装着応力がよりよく制御される。この結果生じたおむつは、装着者のウエストの周りのフィットという点で嵩張りが少ない。吸収性コアの上のベルトにギャザーも収縮も無く、吸収性コアにベルトの連続性があることから、ベルトに発生したフープ応力に基づく連続法線力（ｃｏｎｔｉｎｕｏｕｓ ｎｏｒｍａｌ ｆｏｒｃｅ）を生じることによって、改良されたフィットを生じる。この法線力は、装着中に吸収性コアを体に押し付ける傾向がある。このようにして吸収性コアは、吸収性コアの区域に弾性収縮又はギャザーを生じるおむつよりも、あるいは吸収性コアの区域の周りでフープ応力をスパン内に集中させ、スパンにおいて分配させるためのベルトを備えないおむつよりも、より密着性があり、より快適で、よりずれない方法で維持する。
【００２１】
図２に示されているように、各々前部２６及び後部２８の両方にあるベルト３８は、ウエストバンドパネル６０と６０′及び中間パネル６２と６２′を備える中央パネル、中央パネルの両側にあるサイドパネル６４及び６４′、サイドパネル６４及び６４′の両側にあるシームパネル６６及び６６′を備えている。サイドパネルは弾性的に延伸性があり、おむつのサイド部内にフィットを与える。ウエストバンドパネルは弾性的に延伸性があり、好ましくは弾性的に収縮性があるか、あるいはギャザーが作られて、おむつをウエスト開口部の中央部においてよりよくフィットさせる。中間パネルは使用中に吸収性コアの一体性を維持するためにギャザーが作られていない。中間パネルは、図１〜５に示されている実施態様において、ここで議論されているように弾性的に延伸性がある（がギャザーが作られていない）ものであってもよいが、中間パネルは好ましくは延伸性がない。連続ベルト３８は、下記のようないくつかの異なる材料及び層から形成されていてもよい。ベルト３８は、少なくとも１つの第一ベルト層４２、及びシームパネル６６及び６６′において両側で接合された第二ベルト層４４を備えている。図１〜５に示されている実施態様において、連続ベルト３８は好ましくはシャシー層４０の一部、ベルト層（前部２６の第一ベルト層４２と後部２８の第二ベルト層４４）、サイドパネルにストレッチラミネート（前部ストレッチラミネート４６と後部ストレッチラミネート４８）、及び各ウエストバンドパネルに弾性ウエスト部材５０を備えており、好ましくはウエストバンドパネル６０及び６０′においてベルト３８にギャザーを寄せるように弾性的に収縮しうる条件下で操作によって接着された一体型ウエストキャップ／ウエストバンド８２を備えている。
【００２２】
本発明の好ましい実施態様において、シャシー層４０は、おむつ２０の全体の形状を決定する。シャシー層４０は、おむつの主構造層としての働きをし、これにその他の部材を加えるか接合することができる。従ってシャシー層は、おむつの表面積の全部又は大部分に配置されている。但しいくつかの実施態様において、シャシー層のいくつかの部分には、開口部がつくられるか、切り取られるか、あるいは取り除かれて（「窓が開けられて」）いて、この区域においておむつ又はおむつ部材のストレッチ性及び／又は通気性を強化してもよい。従ってシャシー層は好ましくは連続シート又はウエブを備えており、連続シート又はウエブは「ジョイント」又はシームを有しておらず、従って力が層全体に分配されて伝えられる。ここで既に考察されたように、シャシー層の連続シート又はウエブは、材料の単一ウエブを備えていてもよく、あるいは異なる材料のいくつかの連続ウエブ又は層のラミネートを備えていてもよい。シャシー層は、連続「ベルト」の一部を形成し、これは装着者におむつを保持するのに必要な力／延伸性を与える一方、伸張するのでパンツ型おむつが装着しやすくなる。シャシー層は外側表面、内側表面、あるいはこれらのどちらか又は両方の部分を形成してもよく、あるいは全体がおむつの内部に配置されていてもよい。図１〜５に示された本発明の実施態様において、シャシー層は好ましくは、股部においておむつの外側表面を形成し、おむつの独特な美しさを生じる。
【００２３】
シャシー層４０の少なくとも一部が、サイドパネルにストレッチラミネートを生じるように機械的延伸に付されるので、これは好ましくは伸長性があり、より好ましくは圧伸性（しかしながら必ずしもエラストマー性はない）があり、従ってシャシー層は機械的延伸の際、少なくともある程度まで永久に伸長され、従ってこれはそのもとの歪められていない形状に完全には戻らない。従ってシャシー層は、吸収体に用いられるものとして知られた材料のどれを備えていてもよい。例えば織布又は不織布ウエブ；ポリマーフィルム、例えばポリエチレン、ポリプロピレン、あるいはこれらのブレンドの熱可塑性フィルム；このような材料のラミネート；あるいは複合材料である。好ましい実施態様において、シャシー層は最小限の破壊又は裂けを伴なって、又は全く伴なわずに機械的延伸に付されうる。従ってシャシー層４０は好ましくはポリマーフィルムである。
【００２４】
シャシー層４０は好ましくはポリマーフィルムであるので、一般に液体（例えば尿）不透過性であり、従ってこれはまた、吸収性コアに吸収されて封じ込められた滲出物が、例えばベッドシーツや下着などのおむつと接触する衣類を濡らすのを防ぐ要素として用いられる（すなわちこれは従来のおむつのバックシートとしての働きをする）。シャシー層が液体不透過性でないならば、一般に追加層、例えば従来のバックシートを、吸収性コアの後に用いる方がよいであろう。シャシー層はまた、所望であれば通気性（空気又は水蒸気透過性）があってもよい。特にベルト層、及び好ましくはバリヤー層は各々圧伸性不織布ウエブであり、ストレッチラミネートが力を伝えるのを強化するので、かつまた股部には高い側面張力材料を必要としないので、シャシー層はあるいはまた、微細孔を有し、かつ一般に強度と伸長性が低い通気性材料を備えていてもよい。このようなフィルムの例には、エクソン・ケミカル社（Ｅｘｘｏｎ Ｃｈｅｍｉｃａｌ Ｃｏｍｐａｎｙ）によって商標名エクセア（ＥＸＸＡＩＲＥ）として製造されているフィルムがある。比較的良好な圧伸性を有するが通気性のない本発明のシャシー層として用いられるフィルムには、例えばオハイオ州シンシナティ（Ｃｉｎｃｉｎｎａｔｉ，Ｏｈｉｏ）のクロペイ社（Ｃｌｏｐａｙ Ｃｏｒｐｏｒａｔｉｏｎ）によってクロペイ（Ｃｌｏｐａｙ）１４０１という名称で製造されているポリマーフィルム、あるいはインディアナ州テール・オート（Ｔｅｒｒｅ Ｈａｕｔｅ，Ｉｎｄｉａｎａ）のトレデガー社（Ｔｒｅｄｅｇａｒ）からＸ−８３２３又はＸ−９９５４という名称で入手できるフィルムが含まれる。
【００２５】
シャシー層のサイズは、おむつの設計の対象である装着者のサイズによって決定される。好ましい実施態様において、シャシー層は、装着者によりよくフィットさせるために、修正砂時計形を有する。よちよち歩きの大きい赤ちゃん（約９ｋｇ〜約１５．４ｋｇ）に合わせるように設計された好ましい実施態様において、シャシー層４０は好ましくは、前部及び後部では長さ４８３ｍｍ（約１９インチ）ラ幅約２３４ｍｍ（約９ １／４インチ）であり、股部では幅約１６５ｍｍ（約６ １／２インチ）である。中央パネルは幅１３５ｍｍ（約５ １／４インチ）であり、サイドパネルは幅約４１ｍｍ（約１ ５／８インチ）であり、サイドパネルの動部分は幅約３２ｍｍ（約１ １／４インチ）であり、シームパネルは幅約８．５ｍｍ（約５／１６インチ）である。（シームパネルの実際のオーバーラップ区域は、ここに示された好ましい実施態様において約１１ｍｍである。）前部は長さ約１１４ｍｍ（約４ １／２インチ）であり、後部は長さ約１６５ｍｍ（約６ １／２インチ）であり、股部は長さ約２２０ｍｍ（約８ ５／８インチ）である。
【００２６】
ベルト層（第一ベルト層４２及び第二ベルト層４４）は、好ましくはシャシー層４０及びその他の要素と関連して機能し、おむつ２０のウエスト開口部３６の周りに連続ベルト３８を形成する。従ってベルト層は各々好ましくは「ジョイント」もシームも有していない連続シート又はウエブを備えており、従って力がベルト層全体を通して分散されて伝達される。（各ベルト層の連続シート又はウエブは、材料の単一ウエブ又は異なる材料のいくつかの連続ウエブ又は層のラミネートを備えていてもよい。）ベルト層の材料はまた、好ましくはサイドパネルのストレッチラミネートへ強度を与え、材料を積層させ、材料の不当な綻びも裂けも千切れも伴なわずに機械的延伸が可能にされるものである。
【００２７】
図１〜５に示された実施態様において、ベルト層は好ましくはシャシー層の外側表面上に配置され、これに接着されて、おむつの外側表面の一部を形成する。しかしながらベルト層はシャシー層の内側表面上に配置されてもよく、いくつかの実施態様においては、おむつの内側表面の一部を形成してもよい。次にこれらに代る実施態様のいくつかを示し、記載する。ベルト層は少なくともサイドパネルにおいて、接着手段（図示されていない）によってシャシー層に接着される。適切な接着手段がここに記載されている。ベルト層は、おむつの各ウエスト部（前部又は後部）において側面方向に連続して延びており、ここに記載された連続ベルト３８を生じ、末端縁部から股部の周りまで長手方向に延びている。あるいはまたベルト層は、長手方向に延びて股部に入り、おむつのより多くの部分に衣類様の感触を与える。第一ベルト層と第二ベルト層が長手方向に内側に向かって延びて、股部のこれらの間に隙間を作り、ここに記載されている美的長所を生じるのが好ましいが、これらは所望であれば重ね合わされて、全体的に布様の外見と感触を生じてもよい。
【００２８】
ベルト層はサイドパネルにおいて機械的延伸に付されるので、ベルト層は好ましくは伸長性があり、より好ましくは圧伸性があり（しかしながら必ずしもエラストマー性はない）、不当な裂けも綻びも、好ましくは全く伴なわない。さらにはベルト層は好ましくはパンツ型おむつの外側表面に配置されているので、ベルト層は好ましくはまた、柔軟で感触が柔らかく、装着者の皮膚に刺激を与えず、おむつに布製衣類の感触と快適性を与える。適切なベルト層は広い範囲の材料から製造することができる。例えばプラスチックフィルム；開口プラスチックフィルム；天然繊維（例えば木材繊維又は綿繊維）、合成繊維（例えばポリオレフィン、ポリアミド、ポリエステル、ポリエチレン、あるいはポリプロピレン繊維）、又は天然繊維及び／又は合成繊維の組合わせの織布又は不織布ウエブ；あるいはコートされた織布又は不織布ウエブである。好ましくはベルト層は、合成繊維の不織布ウエブを備えている。
【００２９】
典型的な不織布ウエブにおいて、ウエブの局部破壊は、ウエブが機械的延伸ロールの間を通過するときに、いくつかの部位に生じる。この破壊は、不織布ウエブに必要な延伸性の欠如、又は個々の繊維の圧伸性の欠如によるものであろう。本発明の好ましい不織布ウエブは、高い延伸性を示し、好ましくは個々の繊維が圧伸され、従って繊維間の結合が実質的には破壊されず、壊れないものである。従ってベルト層は最も好ましくは高度な延伸性のある不織布ウエブであり、これは圧伸性がより低い繊維から構成される典型的な不織布ウエブと比較すると、一般により均一に伸長し、最小限の局部的歪の裂けしか生じない。このような不織布ウエブの例には、ポリエチレン又はポリエチレンブレンド繊維のスパンボンデッドウエブが含まれる。より好ましくはベルト層は、ポリエチレン、ポリエチレンポリマーブレンド、あるいはポリエチレン／ポリプロピレンポリマーブレンドから製造された繊維のスパンボンデッドウエブから製造される。ベルト層として用いられるポリエチレン繊維のスパンボンデッド不織布ウエブには、例えばバージニア州ウエインズボロ（Ｗａｙｎｅｓｂｏｒｏ，Ｖｉｒｇｉｎｉａ）のポリボンド社（Ｐｏｌｙｂｏｎｄ Ｃｏ．）によって製造された、＃８７２５７；ドイツ国パイネ（Ｐｅｉｎｅ，Ｇｅｒｍａｎｙ）のコロビン社（Ｃｏｒｏｖｉｎ）によって製造されたコロリンド（ＣＯＲＯＬＩＮＤ）１７１８４；あるいはサウスカロライナ州シンプソンビル（Ｓｉｍｐｓｏｖｉｌｌｅ，Ｓ．Ｃ）のファイバーウエブ社（Ｆｉｂｅｒｗｅｂ）によって製造されたファイバーウエブ（Ｆｉｂｅｒｗｅｂ）Ｅ１００４２０４として購入できるものがある。
【００３０】
ベルト３８は、サイドパネル６４及び６４′において弾性的に延伸性があり、おむつを当初から装着者の形に合わせてフィットさせ、おむつに滲出物が負荷されたずっと後でも、ウエストと脚部の両方に沿って力を分散させることにより装着の間中このフィットを維持することにより、より快適で輪郭に合ったフィットを与える。その理由は、おむつのサイド部が伸縮しうるからである。サイドパネルは少なくとも一方向に、好ましくは側面方向にベクトル要素を有する方向に、さらに好ましくは側面方向に延伸性があって、よりよいフィットを生じる。しかしながらサイドパネルはその他のあらゆる方向、あるいは１つ以上の方向に延伸性があってもよいことに注目すべきである。さらにはサイドパネルは１つ又はそれ以上の個別の延伸性ゾーンを有していてもよい。
【００３１】
サイドパネルにおける弾性延伸性は、いくつかの異なる材料及び形状によって備えられてもよい。ベルトの様々な要素（例えばベルト層又はシャシー層）は、通常の弾性材料を備えていてもよく、あるいはベルトのサイドパネルは、いくつかの異なる弾性ラミネート構造から構成されていてもよい。例えばベルトのサイドパネルは、弾性的に収縮しうる条件で１つ又はそれ以上の非弾性要素（ベルト層又はシャシー層又は両方）に操作によって接着された弾性材料を備えていてもよい。例えばこれは１９７５年１月１４日にＢｕｅｌｌに発行された、発明の名称が「使い捨ておむつのための収縮しうるサイド部分（Ｃｏｎｔｒａｃｔａｂｌｅ Ｓｉｄｅ Ｐｏｒｔｉｏｎｓ Ｆｏｒ Ａ Ｄｉｓｐｏｓａｂｌｅ Ｄｉａｐｅｒ）」という、米国特許第３，８６０，００３号に記載されている。この特許は参照してここに組込まれる。あるいはまたサイドパネルは、例えば１９９５年２月9日に公告された、ザ・プロクター・アンド・ギャンブル社（Ｔｈｅ Ｐｒｏｃｔｅｒ ＆ Ｇａｍｂｌｅ Ｃｏｍｐａｎｙ）の「弾性様挙動を示すウエブ材料（Ｗｅｂ Ｍａｔｅｒｉａｌ Ｅｘｈｉｂｉｔｉｎｇ Ｅｌａｓｔｉｃ−ｌｉｋｅ Ｂｅｈａｖｉｏｒ）」というＷＯ第９５／０３７６５号に記載されているような、構造弾性様フィルム（ＳＥＬＦ）ウエブを備えていてもよい。この特許は参照してここに組込まれる。ベルトのサイドパネルは、この技術で知られているいくつかの異なる延伸性又は弾性材料から構成されていてもよいが、ベルトのサイドパネルの１つ又はそれ以上、好ましくはこれらの各々はストレッチラミネートから構成される。
【００３２】
図１〜５に示された実施態様において、ストレッチラミネート（前部ストレッチラミネート４６及び後部ストレッチラミネート４８）は、おむつの一体型要素である（すなわち、これらはおむつに固定された別々に操作される要素ではなく、おむつの様々な層（少なくともベルト層、好ましくはまたシャシー層）の１つ又はそれ以上から形成され、これらの延長部である。）好ましい実施態様において、各ストレッチラミネートはシャシー層の一部、各ベルト層の一部、シャシー層とベルト層との間に配置された弾性パネル部材、及びバリヤー層の一部から構成される。
【００３３】
本発明の好ましい実施態様において、弾性パネル部材７８は、サイドパネルにおいて、好ましくはシャシー層とベルト層との間に操作によって接合され、ストレッチラミネートが少なくとも側面方向に弾性的に延伸性のあるものにされる。ここで用いられている「弾性的に延伸性がある」という用語は、張力（サイドパネルについては一般的に側面方向の張力）が加えられた時に少なくとも１つの方向に（好ましくはサイドパネルについては側面方向に）伸長し、張力が除去された時に大体その以前のサイズ及び形状に戻るセグメント又は部分を意味する。弾性パネル部材として（特にゼロ歪ストレッチラミネート用に）用いるのに特に適していることが分っているエラストマー材料は、スチレンブロックコポリマーベースの弾性フィルムであり、好ましくはこれは厚さが０．０５ｍｍ〜０．０６４ｍｍ（０．００２インチ〜０．００２５インチ）であり、例えばオハイオ州シンシナティのクロペイ社によって、ＰＡ１８−２８７０という名称で製造されているもの、あるいはテキサス州ベイタウン（Ｂａｙｔｏｗｎ，Ｔｅｘａｓ）のエクソン・ケミカル社から販売されているエクソン５００シリーズ弾性フィルムである。前記ＰＡ１８−２８７０エラストマー材料の応力／歪（力／延び）グラフが図１２に示されている。応力／歪グラフは、約２３℃（室温）で５０．８ｃｍ／分（２０インチ／分）の率で加えた歪又は延びに付された時、１インチ幅のサンプルあたりの力の曲線（ｇ）の典型的な形状を示している。弾性パネル部材として用いるのに適したその他のエラストマー材料には、「生きた（ｌｉｖｅ）」合成又は天然ゴム、その他の合成又は天然ゴムフォーム、エラストマーフィルム（熱収縮性エラストマーフィルムを含む）、エラストマー織布又は不織布ウエブ、スクリム、エラストマー複合材等が含まれる。
【００３４】
特に好ましい実施態様において、弾性パネル部材は、これらをシャシー層、ベルト層、あるいは両方に、これらが実質的に非張力状態（ゼロ歪）状態にある間に固定することによって、サイドパネルに操作によって接着される。弾性パネル部材を含む、この結果生じた複合ストレッチラミネートの少なくとも一部は、ついで機械的延伸に付される。この機械的延伸は、ストレッチラミネートの非弾性要素（シャシー層、バリヤー層、及びベルト層）を永久に伸長させるのに十分なものである。ついでこの複合ストレッチラミネートは、その実質的に非張力の状態に戻される。このようにしてサイドパネルは、「ゼロ歪」ストレッチラミネートに形成される。（あるいはまた弾性パネル部材は張力状態で操作によって接着することができ、ついで機械的延伸に付すこともできよう。ただしこれは「ゼロ歪」ストレッチラミネートほど好ましくない。）ここで用いられている「ゼロ歪」ストレッチラミネートという用語は、実質的に非張力（ゼロ歪）状態にある間にこれらの同じ広がりをもつ表面の少なくとも一部に沿って互いに固定されている少なくとも２つのプライの材料から構成されたラミネートのことを言う。これらのプライの１つは、ストレッチ性があり、エラストマー性がある（すなわち加えられた張力が解放された後で、実質的にその非張力サイズに戻る）材料を備え、第二のプライは伸長性があり（しかしながら必ずしもエラストマー性はない）、従って延伸の際、第二プライは、少なくともある程度まで永久に伸長され、従って加えられた張力が解放された時にこれはそのもとの変形されていない形状に十分には戻らないものである。その結果生じたストレッチラミネートはこれによって、当初の延伸の方向に、少なくとも当初延伸点まで弾性的に延伸性のあるものにされる。ストレッチラミネートを製造するために用いられる特に好ましい方法及び装置には、要素を機械的延伸するためのメッシュ波形ロールが用いられる。特に好ましい装置及び方法は、１９９２年１２月１日にＷｅｂｅｒらに発行された米国特許第５，１６７，８９７号；１９９０年１０月２０日にＢｕｅｌｌらに発行された米国特許第５，１５６，７９３号；及び１９９２年９月１日にＷｅｂｅｒらに発行された米国特許第５，１４３，６７９号に開示されている。これらの特許の各々は参照してここに組込まれる。
【００３５】
弾性パネル部材は、ストレッチラミネートにおいてシャシー層、ベルト層、又はこれらの両方に操作によって接着されうるが、この際、断続的接着形状又は実質的連続接着形状のどちらかが用いられる。ここで用いられている「断続的」接着ラミネートウエブとは、プライが別々の間隔をあけて配置された点において当初から互いに接着されているラミネートウエブを意味するか、あるいはプライが別々の間隔をあけて配置された区域において互いに実質的に接着されていないラミネートウエブを意味する。逆に「実質的に連続的に」接着されたラミネートウエブは、プライが界面区域全体において当初より互いに実質的に連続的に接着されているラミネートウエブを意味する。ストレッチラミネートが、このストレッチラミネートの全体又はストレッチラミネートのかなり大きな部分において接着され、従って非弾性ウエブ（ベルト層、シャシー層、及びバリヤー層）が破壊を引起こさずに伸長又は圧伸するのが好ましく、かつストレッチラミネートの層が好ましくは、増分的（ｉｎｃｒｅｍｅｎｔａｌ）機械的延伸操作の後でストレッチラミネートの層の全部を互いに比較的密な接着に維持する形状で接着されるので、弾性パネル部材及びストレッチラミネートのその他のプライは、接着剤を用いて実質的に連続的に接合される。特に好ましい実施態様において、選択された接着剤は、坪量約０．００１１６グラム／平方ｃｍ（０．００７５グラム／平方インチ）で、（例えば米国特許第３，９１１，１７３号（Ｓｐｒａｇｕｅ， Ｊｒ．）及び米国特許第４，８４２，６６６号（Ｗｅｒｅｎｉｃｚ）に記載されているように）螺旋パターンに塗布される。これらの螺旋は幅が約１．９ｃｍ（０．７５インチ）であり、各々が互いのすぐ隣に配置されるか、わずかに（２ｍｍ以下）重なり合っている。接着剤は、好ましくはフィンドレイ・アドヒーシブ社（Ｆｉｎｄｌｅｙ Ａｄｈｅｓｉｖｅｓ）からＨ２１２０という名称で販売されている接着剤である。あるいはまた、弾性パネル部材及びストレッチラミネートのその他のあらゆる要素は、熱接着、圧力接着、超音波接着、動的機械的接着、あるいはこの技術で知られているその他のあらゆる方法を用いて、断続的又は連続的に互いに接着されてもよい。
【００３６】
延び力、伸び率（ｅｘｔｅｎｓｉｏｎ ｍｏｄｕｌｕｓ）、及び有効なストレッチ（延び）を含む延び特性；及びストレッチラミネートの収縮力及び収縮率は、ストレッチラミネートとパンツ型おむつの両方の性能において、重要な考慮事項であることが分った。延び特性及びフィット力は、使用中に全体的に感じられる「ストレッチ性」を、装着してあげる人（ａｐｐｌｉｃａｔｏｒ）と装着者に対して与えるものである。またこれらの特性によって、装着してあげる人が適切な程度の装着ストレッチを得ることができる（すなわち装着させる間、おむつの「普通に」感じる張力について、結果として生じるストレッチの総量は、良好な適合フィットを得たい／維持したいと望む量である）。比較的高い伸び率／力を有するストレッチラミネートでは、装着者の皮膚に赤い痕が生じることもあり、一方比較的低い伸び率／力では、装着者の側にたるみ／はずれを引起こすこともある。有効なストレッチが小さすぎるストレッチラミネートでは、適切なレベルの体へのフィットが得られないこともあり、おむつが、装着するには不快で装着しにくいものになる原因になることもある。収縮力（あるいは過剰な弾性クリープ、過剰な弾力弛緩、あるいは過剰な非弾性「セット」）が非常に小さいストレッチラミネートは、装着者の定位置に止まらないかもしれず、装着者の側にたるみ／はずれを起こす傾向があり、その結果フィットと封じ込めが悪くなることもある。
【００３７】
本発明のストレッチラミネートの場合、延び力及び伸び率という延び特性は、一定の範囲内にあるのが好ましいことが分った。図１４は、本発明の好ましい（通気孔のない）ストレッチラミネートに関する２つの延び／回復サイクルについての延び／力応答を表わす。サンプルストレッチラミネートが、約２３℃において５０．８ｃｍ／分（２０インチ／分）の割合で最初の引張り又は延びに付され、２００％延びで３０秒保持される。ついでサンプルを同じ割合で弛緩させる。サンプルは、１分間非収縮状態のままにされ、その後同じ割合及び条件で、２回目の引張り又は延びに付される。当初引張り延び力は、好ましくは１００％延びにおいて約１００グラム／インチより大きいか、あるいはこれに等しい。より好ましくは最初の引張り延び力は、約１５０〜約２２５グラム／インチ、最も好ましくは装着者に最もよくフィットするためには１００％延びにおいて約１６０グラム／インチ〜２００グラム／インチである。２００％延びにおいては、当初引張り延び力は、好ましくは約２００グラム／インチ〜４００グラム／インチ、より好ましくは約２４０グラム／インチ〜３２０グラム／インチである。装着範囲内（２０％〜１４０％延び）のストレッチラミネートの２サイクル目の回復力は、好ましくは回復時、約２５グラム／インチ〜２００グラム／インチ、より好ましくは約６０グラム／インチ〜１５０グラム／インチである。これらの値は、延び・回復後の正常な装着力に相当する。
【００３８】
力の壁（ｆｏｒｃｅ ｗａｌｌ）は、延びの増加と共に力がより急速に大きくなる延び曲線の部分である。力の壁によって、ベルトをさらに過剰にストレッチさせずに追加の引き上げ力を大きくすることができる。この結果、特に自分で装着する場合にさらに装着が容易な衣類が生じる。力の壁は、４００グラム／インチより大きな力で得られる。従ってストレッチラミネートの場合、所望の最大限の設計延び以上の、５０％又はそれ以下の延びにおける増分的増加が、４００グラム／インチ以上の力を生じる。図１５に示されているように、ストレッチラミネートの力の壁は一般に、約２００％より大きい延びにおいて得られる（このストレッチラミネートの所望の最大限の設計延び）。２００％から２５０％の延びまでの５０％の延びの増加は、４００グラム／インチより大きな力を生じる。
【００３９】
有効ストレッチによって、逆にストレッチして装着中に装着者の体に合わせるためにストレッチラミネートにおいて利用可能な材料の最大量が測定される。従って有効ストレッチ量は、おむつを装着者にフィットさせるのにおむつ装着者が利用することができる延びの最大量に関連する。さらにはおむつを装着者の体に合わせるために利用することができる回復可能な延びの最大量でもある。有効ストレッチは次の等式から算定される：（（ストレッチした長さ−もとの長さ）／もとの長さ）×１００。ストレッチラミネートを用いたおむつの装着に必要な有効ストレッチの最大量は、好ましくは有効ストレッチが少なくとも約７５％、好ましくは少なくとも１００％であり、有効ストレッチは好ましくは１００％〜２５０％、最も好ましくは約２００％である。
【００４０】
連続ベルト３８はまた好ましくは、中央パネルにおいて、好ましくは少なくとも各ウエストバンドパネル６０及び６０′において、吸収性コアから長手方向に外側に弾性的に延伸性がある。弾性的延伸性は、弾性ウエスト部材５０によって与えられる。弾性ウエスト部材５０は、少なくとも側面方向に弾性的に延伸性がある、好ましくは弾性的に収縮しうる部材を生じ、連続ベルトの一部を生じる。このベルトはサイドパネルのストレッチラミネートと、ウエストバンドパネルの弾性ウエスト部材を備えており、装着者のウエストに動的にフィットし、このウエストの形に合い、改良されたフィットを生じる。弾性ウエスト部材は一般に、末端縁部から吸収性コアの縁部まで延びているベルトの部分である。弾性ウエスト部材は好ましくは弾性的に収縮し、吸収性コアから長手方向に外側にウエストバンドパネルにギャザーを寄せ、この衣類のフィット性が次第に減らされて、装着者によりよくフィットする。
【００４１】
弾性ウエスト部材５０は、少なくともベルト層（第一ベルト層４２又は第二ベルト層４４）の延長部を備えており、好ましくはおむつのその他の要素の１つ、例えばシャシー層４０又はトップシート８０又はこれらの要素のあらゆる組合わせを、（これらの層の１つが延伸性があるかあるいは収縮可能であるならば）単独で、あるいはこれらに接合された弾性材料と共に備えている。弾性ウエスト部材５０は、ストレッチラミネートに関してここに記載されたものを含む様々ないくつかの形状に構成されていてもよい。この技術で知られている弾性ウエストバンドであって、例えば次の特許に記載されているものである。例えば１９８５年５月７日にＫｉｅｖｉｔ及びＯｓｔｅｒｈａｇｅに発行された、発明の名称が「弾性的に収縮しうるウエストバンドを備えた使い捨ておむつ（Ｄｉｓｐｏｓａｂｌｅ Ｄｉａｐｅｒｓ Ｗｉｔｈ Ｅｌａｓｔｉｃａｌｌｙ Ｃｏｎｔｒａｃｔｉｂｌｅ Ｗａｉｓｔｂａｎｄｓ）」という米国特許第４，５１５，５９５号、及び１９９２年９月２９日にＢｕｅｌｌ、Ｃｌｅａｒ、及びＦａｌｃｏｎｅに発行された、発明の名称が「予め配置された弾力のある柔軟性ヒンジを有する動的弾性ウエスト部材を備えた吸収体（Ａｂｓｏｒｂｅｎｔ Ａｒｔｉｃｌｅ Ｗｉｔｈ Ｄｙｎａｍｉｃ Ｅｌａｓｔｉｃ Ｗａｉｓｔ Ｆｅａｔｕｒｅ Ｈａｖｉｎｇ Ａ Ｐｒｅｄｉｓｐｏｓｅｄ Ｒｅｓｉｌｉｅｎｔ Ｆｌｅｘｕｒａｌ Ｈｉｎｇｅ）」という米国特許第５，１５１，０９２号である。及び前記引例のＷＯ第９５／０３７６５号に記載された構造弾性様フィルム（ＳＥＬＦ）ウエブから製造された弾性ウエストバンドである。これらの特許は参照してここに組込まれる。
【００４２】
図５に示されている本発明の好ましい実施態様において、弾性ウエスト部材５０は好ましくは、ウエストバンドパネル６０及び６０′全体を通ってサイドパネル６４及び６４′の中まで延びている。好ましくは弾性ウエスト部材５０は、サイドパネル６４及び６４′全体を通ってシームパネル６６及び６６′まで延びている。弾性ウエスト部材はまた、’３６０弾性ウエスト部材を実現するように、シームパネル６６及び６６′のうちの１つ又は両方の中まで延びても良い。弾性ウエスト部材５０を少なくともサイドパネル６４及び６４′の中まで延ばすことによって、この衣類を身に付ける時に、掴むための追加の材料を使用者に与えることになる。サイドパネル材料とウエスト／サイドパネルラミネートとの間の移行部は、ヒンジ／破れ（ｂｒｅａｋ）点を生じ、これによってサイドパネルのウエスト部が、消費者の指の周りに折られ、装着のための取っ手となる。これによってより装着しやすくなる。これは、この衣類を引張って装着する時に消費者の手からこの製品がはずれないからである。さらには弾性ウエスト部材５０によって生じたキャリパーと弾力性の増加によってフィットが改良される。
【００４３】
弾性ウエスト部材５０は好ましくは、トップシート８０に配置された一体型ウエストキャップ／ウエストバンド８２を備えている。これは、弾性的に収縮しうる条件下にトップシート８０と操作によって接着されて、おむつ２０のウエストバンドパネル６０又は６０′にギャザーを寄せるためのものである。弾性ウエスト部材５０は弾性的に収縮しうる条件下に操作によって接着されて、ウエストバンドパネル６０又は６０′にギャザーを寄せるが、この弾性ウエスト部材は、サイドパネルがその完全な延伸性を利用することができるように、弛緩条件下に操作によってサイドパネル６４及び６４′に接着されるのが好ましい。
【００４４】
一体型ウエストキャップ／ウエストバンド８２は好ましくは、不織布カバーストック層、エラストマー層、及びより好ましくは第二不織布カバーストック層を備えている。ここで用いられるこのような一体型ウエストキャップ／ウエストバンドの例は、１９９１年６月２５日にＲｏｂｅｒｔｓｏｎに発行された、発明の名称が「一体型ウエストキャップ及びウエストバンドを有する吸収体（Ａｂｓｏｒｂｅｎｔ Ａｒｔｉｃｌｅ Ｈａｖｉｎｇ Ｕｎｉｔａｒｙ Ｗａｉｓｔｃａｐ ａｎｄ Ｗａｉｓｔｂａｎｄ）」という、米国特許第５，０２６，３６４号に開示されている。この特許は参照してここに組込まれる。エラストマー層は、少なくとも約５０％の予備歪（ｐｒｅｓｔｒａｉｎ）、好ましくは約１００％〜３００％の予備歪、最も好ましくは約２５０％の予備歪までストレッチされる。エラストマー層として用いるのに適していることが分っている材料には、「生きた」合成又は天然ゴム、その他の合成又は天然フォーム、エラストマーフィルム（熱収縮性エラストマーフィルムを含む）、エラストマー織布又は不織布ウエブ、エラストマースクリム、エラストマーストランド、エラストマー複合材等が含まれる。パンツ型おむつの中央パネルにおいてトップシートに操作によって接着される時、一体型ウエストキャップ／ウエストバンドは、おむつの下部層と共に延伸力を生じる。これは６７％（この特別な実施態様においては１インチ）の延びまでストレッチされた場合、好ましくは約１００グラム／インチ〜３００グラム／インチ、より好ましくは約１５０グラム／インチ〜２００グラム／インチである。この好ましい実施態様において、一体型ウエストキャップ／ウエストバンドはまた、少なくとも１９ｍｍの収縮を生じ（すなわち製品全体において３８ｍｍの収縮）、おむつの上部において、フィット力を次第に減少させる。
【００４５】
特に好ましい実施態様において、一体型ウエストキャップ／ウエストバンドは、通気性があり、水蒸気をパンツ型おむつの前部及び後部から逃がすことができる。一体型ウエストキャップ／ウエストバンドの構成に比較的通気性のある材料を選び、及び／又はサイドパネルにおけるストレッチラミネートに関してここで考察されたようにウエストキャップ／ウエストバンドに開口部をつくるか、又は通気孔をあけることによって、この一体型ウエストキャップ／ウエストバンドに通気性を与えることができる。
【００４６】
もう１つの実施態様において、一体型ウエストキャップ／ウエストバンドは、疎水性であってもよく、親水性であってもよく、あるいは疎水性／親水性部材の組合わせであってもよい。親水性のウエストキャップ／ウエストバンドは、使用者の皮膚から湿分を引き離し、皮膚が濡れるのを防ぐために用いられてもよい。あるいはまた、疎水性ウエストキャップ／ウエストバンドは、衣類によって吸収された液体がウエスト開口部を通って漏れるのを防ぐために用いられてもよい。疎水性／親水性の組合わせウエストキャップ／ウエストバンドは、衣類によって吸収された液体がウエスト開口部を通って漏れるのを防ぐ一方で、使用者の皮膚から湿分を引き離し、皮膚が濡れるのを防ぐために用いられてもよい。
【００４７】
ベルト３８の中間パネル６２及び６２′は、使用中に吸収性コア８４がこぶになったりかたまりになったりしないようにギャザーが寄せられていない。図１〜５に示された実施態様において、中間パネル６２及び６２′はまた、好ましくは吸収性コア８４の一体性を維持するために延伸性がないものである。あるいはまた中間パネルは、中間パネルを形成するために延伸性はあるが非収縮性の材料を用いることによって、弾性的に延伸性のあるものにされてもよいが、ギャザーは作られない。例えば中間パネルはサイドパネル用に、ここに用いられているゼロ歪ストレッチラミネートを備えていてもよいが、前記引例のＷＯ第９５／０３７６５号に記載された構造弾性様フィルム（ＳＥＬＦ）ウエブを備えていてもよい。この特許は参照してここに組込まれる。中間パネルが延伸性のあるものにされた場合、吸収性コアの一体性を維持するために、吸収性コアは「浮く」（吸収性コアを中間パネルに固定しない）ようにされ、中間パネルの延びを制限しないのが好ましい。
【００４８】
シームパネル６６及び６６′は、画定されたウエスト開口部３６と脚部開口部３４を形成するために、製造業者によってシームされるかあるいは接着されるように設計されたベルト３８の部分である。図２に示されているように、シームパネル６６及び６６′は、側面方向に外側に各サイドパネル６４及び６４′からサイド縁部７２又は７２′まで延びており、及び一般に長手方向に各々末端縁部７０及び７０′から脚部縁部７１又は７１′まで延びている。シームパネルは好ましくは、シャシー層及びその他の要素、例えばベルト層及びトップシート、あるいはこれらの要素のその他のあらゆる組合わせの延長部である。好ましい実施態様において、各シームパネルは、シャシー層、ベルト層、弾性パネル部材、及びトップシートのバリヤー層の部分から構成されている。（シームパネルにおいて、ストレッチラミネートは好ましくは、この部位に追加の延伸性を与えるために機械的延伸によって活性化されない。ただし所望であればこれをしてもよい。）
図１を参照すると、シーム３２は好ましくは前部２６のシームパネル６６を、後部２８のシームパネル６６′と接着させることによって形成される。本発明のシームの接着は、シームパネルに用いられる特定の材料に適切な、この技術でよく知られたあらゆる適切な手段によって行なってもよい。従って超音波シール、ヒートシール、圧力接着、接着剤接着、縫合、自己接着等が適切な技術であろう。
【００４９】
本発明の好ましい実施態様において、おむつ２０は、後部２８のシームパネル６６′を前部２６のシームパネル６６′と重ね合わせてラップシームを形成することによって作られる。シームパネルは図１２に示されているように好ましくは熱／圧力パターン又は超音波溶接によって接着される。この特別な実施態様において、シームは、クラスター１２０２にグループ分けされた個別接着１２００の断続的パターンを備えている。この実施態様においてシーム３２は４つのクラスター１２０２を備えている。その他の適切なシームはあらゆる数のクラスター、例えば２つ、３つ、５つ、あるいはそれ以上を有していてもよい。接着シームの幅全体Ｗは、約１１ｍｍのシームパネルのオーバーラップＸをベースとして、約７ｍｍである。クラスター１２０２は互いから距離ｓだけ間隔があけられている。距離ｓは約６ｍｍ〜約２０ｍｍであり、好ましくは約１１ｍｍである。各クラスター１２０２は好ましくは高さｈが、約６ｍｍ〜約６０ｍｍである。このほかのパターン、サイズ、及び間隔も考えられる。
【００５０】
隣接クラスター１２０２間の間隔は、シーム３２に隙間又は非接着部分をつくり出す。衣類２０が装着された場合、シーム３２は装着者の動きによって締まる（ｂｕｃｋｌｅ）傾向がある。隣接クラスター間の間隔におけるシーム３２の締まり（ｂｕｃｋｌｉｎｇ）は、使用中に衣類を換気するために、空気を衣類に出し入れすることができる通路を生じる。このようにして、シーム３２の非接着部分（すなわち個々の間隔の距離ｓ全部の合計）が、シームの通気性を決定し、従って衣類２０の通気性を決定する。シーム３２の非接着部分が増加するにつれて、衣類の通気性も増す。しかしながらシーム３２の非接着部分が増加すると、シーム３２の強度は減少する。好ましくはシーム３２の非接着部分は、脚部開口部３４からシーム３２に沿ってウエスト開口部３６まで測定して、シーム長さ全体の約２０％〜約６５％である。適切なシームの例は、シーム長さ全体の約３０％、３５％、又は４０％の非接着部分を有する。２０％より少ない非接着部分は望ましくないが、それはこのような部分では、十分な量の空気によって衣類を換気することができないからである。６５％を超える非接着部分もまた好ましくないが、これは十分な量の空気によって衣類を換気することができるが、装着中に衣類にかかる強い力及び応力に耐えるほど十分に強くないからである。
【００５１】
脚部開口部３４の近くのクラスターは、すべてのクラスターのうちで最大の高さｈを有する。好ましくはこのクラスターは、少なくとも約２０ｍｍ、好ましくは約３０ｍｍ〜約４０ｍｍの高さｈを有する。この形状は、脚部開口部３４に隣接するシーム３２の締まりを最小限にし、これによって装着者の皮膚に痕がつくのを減らすのに役立つ。
【００５２】
ウエスト開口部３６に隣接した位置にクラスターがあるのも好ましい。このクラスターは、ウエストの周りに張力線を生じて、衣類のフィットと封じ込めを改良する。脚部開口部３４及びウエスト開口部３６に隣接したクラスターは、脚部開口部３４及びウエスト開口部３６から小さい距離、例えば約５ｍｍより小さい距離だけ間隔をあけて配置されてもよい。
【００５３】
第一ベルト層４２、シャシー層４０の一部、前部のサイドパネルにある弾性パネル部材７８の一部、バリヤー層８８の一部、第二ベルト層４４、シャシー層４０の第二部分、後部のサイドパネルにある弾性パネル部材７８′の一部、及びバリヤー層８８の第二部分を融合させると、シーム３２は非常に強くなり、おむつ２０を付ける時又は装着中、綻びも裂けも生じない。
【００５４】
シームパネルのポリマー材料のある量を増加させることによって、潜在的に強いシームをつくることができる。シームパネルのポリマー材料の量は、より高い坪量の不織布材料、より厚いプラスチックフィルムを用いて、あるいは追加の材料層をシームパネルに導入して増加することができる。例えば追加のプラスチックフィルム又は不織布ウエブを、シームパネルに入れてもよい。あるいはまた、おむつを形成する層を、シーミングする予定の区域を超えて延ばして、シームパネルの中に折り返し、シームパネルに追加層を導入してもよい。このような型のシームの例は、前記引例の米国特許第５，２３６，４３０号において考察されている。
【００５５】
連続ベルト３８のほかに、おむつ２０は、シャシー集成体（主パネル５６及び脚部フラップパネル５８）を備えており、これは装着者の脚の間に延びており、これによって股部３０が画定される。股部３０は一般に、少なくとも１つの外側カバー層、好ましくはまた吸収性コア８４を備えている。図１〜５に示された実施態様において、外側カバー層はシャシー層４０とトップシート８０を備えている。シャシー集成体はさらに好ましくは弾性脚部部材５２を備えている。
【００５６】
弾性脚部部材５２は、股部３０において及び一般に脚部開口部の周りにおいて、液体及びその他の体内からの滲出物の改良された封じ込めを与える。各弾性脚部部材５２は、脚部フラップパネル５８において体内からの滲出物の漏れを減らすために、いくつかの異なる実施態様を備えていてもよい（弾性脚部部材は、脚部バンド、サイドフラップ、バリヤーカフス、あるいは弾性カフスと呼ばれてもよく、そう呼ばれることもある）。１９７５年１月１４日にＢｕｅｌｌに発行された、発明の名称が「使い捨ておむつのための収縮しうるサイド部分（Ｃｏｎｔｒａｃｔａｂｌｅ Ｓｉｄｅ Ｐｏｒｔｉｏｎｓ Ｆｏｒ Ａ Ｄｉｓｐｏｓａｂｌｅ Ｄｉａｐｅｒ）」という米国特許第３，８６０，００３号は、次のような使い捨ておむつについて記載している。すなわち、サイドフラップと１つ又はそれ以上の弾性パネル部材とを有する収縮しうる脚部開口部を備え、弾性脚部カフス（ガスケットカフス）を生じるものである。１９９０年３月２０日にＡｚｉｚ及びＢｌａｎｅｙに発行された、発明の名称が「弾性フラップを有する使い捨て吸収体（Ｄｉｓｐｏｓａｂｌｅ Ａｂｓｏｒｂｅｎｔ Ａｒｔｉｃｌｅ Ｈａｖｉｎｇ Ｅｌａｓｔｉｃｉｚｅｄ Ｆｌａｐｓ）」という、米国特許第４，９０９，８０３号は、脚部の封じ込めを改良するための「立ち上がった」弾性フラップ（バリヤーカフス）を有する使い捨ておむつについて記載している。１９８７年９月２２日にＬａｗｓｏｎに発行された、発明の名称が「二重カフスを有する吸収体（Ａｂｓｏｒｂｅｎｔ Ａｒｔｉｃｌｅ Ｈａｖｉｎｇ Ｄｕａｌ Ｃｕｆｆｓ）」という米国特許第４，６９５，２７８号は、ガスケットカフスとバリヤーカフスを含む二重カフスを有する使い捨ておむつについて記載している。１９８９年１月３日にＤｒａｇｏｏに発行された、発明の名称が「漏れ抵抗のある二重カフスを有する吸収体（Ａｂｓｏｒｂｅｎｔ Ａｒｔｉｃｌｅ Ｈａｖｉｎｇ Ｌｅａｋａｇｅ−Ｒｅｓｉｓｔａｎｔ Ｄｕａｌ Ｃｕｆｆｓ）」という、米国特許第４，７９５，４５４号は、漏れ抵抗のある二重カフスを有する使い捨ておむつであって、トップシートがおむつのサイド縁部の手前で終わり、衣類のサイド部からの滲み出しを防ぐおむつを開示している。これらの特許の各々は参照してここに組込まれる。各弾性脚部部材は脚部バンド、サイドフラップ、バリヤーカフス、あるいは前記弾性カフスのどれかに似るような形状にされていてもよいが、各弾性脚部部材がガスケットカフスとバリヤーカフスの組合わせを備えるのが好ましい。ガスケットカフスとバリヤーカフスは好ましくは、Ｄｒａｇｏｏの特許に示されているように、及びここで考察されているように形成される。
【００５７】
本発明のもう１つの実施態様において、脚部フラップパネル５８はさらに、前記引例のＷＯ第９５／０３７６５号に記載されているように、構造弾性様フィルム（ＳＥＬＦ）ウエブを備えていてもよい。脚部フラップパネルのＳＥＬＦウエブは、側面方向に延伸性を備えている。ガスケットカフスを形成する弾性脚部部材に隣接するか、あるいはその上に、あるいはその外側にＳＥＬＦウエブを備えることによって、おむつには、負荷が重くなった時に追加の空隙が必要な場合に伸張することができ、かつずれによる脚部における漏れの可能性を減らすためにぴったりしたフィットを生じるための区域が、脚部に隣接して備えられる。おむつに負荷がかかり、重くなったら、この重力は延伸性脚部フラップパネルを側面方向に伸張させ、これによって、カフスが重量によって下方に引張られ、脚からずれて離れることなく、この伸張によって脚部におけるずれを減少させる。その結果、ガスケットカフスの作用は吸収性コアとは独立し、従ってよりよいフィットと封じ込めを生じることになる。さらにはＳＥＬＦウエブは、ガスケットカフスにおける製品の柔らかさを増し、全体的に赤ちゃんに優しい美しさを生じるのに役立つ。実際、主パネルは所望であれば、柔らかさと封じ込め特性を与えるためにＳＥＬＦウエブを備えていてもよい。あるいはまた、脚部フラップパネルは、脚部開口部の長手方向への延びを可能にし、これによってより長い脚を有する装着者に合わせるために、長手方向に延伸性のあるＳＥＬＦウエブ又は機械的延伸ラミネートを備えていてもよい。
【００５８】
吸収性コア８４は好ましくはシャシー層４０の内側表面７６に隣接して配置され、好ましくは接着手段（図示されていない）、例えばこの技術でよく知られているものによってこれに接着されている。例えばシャシー層は、均質な連続接着剤層、パターン接着剤層、あるいは一列の別々の接着剤の線、螺旋、又はスポットによって、吸収性コアに固定されてもよい。満足すべきものであることが分っている接着剤は、ウイスコンシン州ウオーウオートーサ（Ｗａｕｗａｕｔｏｓａ，Ｗｉｓｃｏｎｓｉｎ）のフィンドレイ・アドヒーシブ社（Ｆｉｎｄｌｅｙ Ａｄｈｅｓｉｖｅｓ）によって製造され、フィンドレイ（Ｆｉｎｄｌｅｙ）Ｈ２１２０として販売されているものである。接着剤手段は好ましくは、１９８６年３月４日にＭｉｎｅｔｏｌａ及びＴｕｃｋｅｒに発行された、発明の名称が「使い捨て排出物封じ込め衣類（Ｄｉｓｐｏｓａｂｌｅ Ｗａｓｔｅ Ｃｏｎｔａｉｎｍｅｎｔ Ｇａｒｍｅｎｔ）」という、米国特許第４，５７３，９８６号に開示されている、接着剤フィラメントのオープンパターンネットワークを備えている。この特許は参照してここに組込まれる。フィラメントのオープンパターンネットワークの接着手段の一例は、例えば次の特許に示された装置及び方法によって例証されているような渦巻状に螺旋パターンにされた接着剤フィラメントのいくつかの線を備えている。すなわちこれらの特許は、１９７５年１０月７日にＳｐｒａｇｕｅ，Ｊｒ．に発行された米国特許第３，９１１，１７３号；１９７８年１１月２２日にＺｉｅｃｋｅｒらに発行された米国特許第４，７８５，９９６号；及び１９８９年６月２７日にＷｅｒｅｎｉｃｚに発行された米国特許第４，８４２，６６６号である。これらの特許は各々参照してここに組込まれる。あるいはまた接着手段は、熱接着、圧力接着、超音波接着、動的力学的接着、あるいはこの技術で知られているその他のあらゆる適切な接着手段、あるいはこれらの接着手段の組合わせを備えていてもよい。
【００５９】
吸収性コア８４は、一般に圧縮可能で、形に沿いやすく、装着者の皮膚に刺激を与えず、液体、例えば尿及びその他のいくつかの体内からの滲出物を吸収及び保持しうるあらゆる吸収手段であってもよい。吸収性コアは、様々なサイズ及び形状（例えば長方形、砂時計形、「Ｔ」型、非対称等）で、使い捨ておむつ及びその他の吸収体に通常用いられている非常に多様な液体吸収性材料から製造することができる。例えば一般にエアフェルトと呼ばれている微粉砕木材パルプである。その他の適切な吸収性材料の例には、クレープセルロースワッディング、コフォームを含むメルトブローンポリマー、架橋セルロース繊維、ティシューラップを含むティシュー、吸収性フォーム、吸収性スポンジ、超吸収性ポリマー、吸収性ゲル化材料、あるいはあらゆる同等の材料又は材料の向合わせが含まれる。吸収性コアの形状及び構成はまた、様々なものであってもよい（例えば吸収性コアは、様々なキャリパーゾンーン、親水性勾配、超吸収性勾配、あるいは比較的低い平均密度、及び比較的低い平均坪量の受入れゾーンを有していてもよい。あるいは１つ又はそれ以上の層又は構造を備えていてもよい）。しかしながら吸収性コアの総吸収容量は、パンツ型おむつの設計負荷及び用途と相容れるものであるべきである。さらには吸収性コアのサイズ及び吸収容量は、幼児から大人までの多様な装着者に合わせるために、様々であってもよい。
【００６０】
吸収性コアの好ましい実施態様は、非対称の修正砂時計形を有し、装着者の体の方を向いた体側表面（内側表面）と、体側表面の反対側にある衣類側表面を有している。広く受入れられ、商品としても成功を収めた本発明の吸収性コアとして用いられる吸収性構造の例は、１９９４年１１月１日にＣｏｏｋ、Ｌａｓｈ、Ｍｏｏｒｅ、及びＹｏｕｎｇに発行された、発明の名称が「剛化繊維及び超吸収性材料を含む吸収構造（Ａｂｓｏｒｂｅｎｔ Ｓｔｒｕｃｔｕｒｅｓ Ｃｏｎｔａｉｎｉｎｇ Ｓｔｉｆｆｅｎｅｄ Ｆｉｂｅｒｓ ａｎｄ Ｓｕｐｅｒａｂｓｏｒｂｅｎｔ Ｍａｔｅｒｉａｌ）」という、米国特許第５，３６０，４２０号に記載されている。これらの引例は参照してここに組込まれる。好ましくは吸収性コアは、化学的剛化セルロース繊維の受入れ／分配層と、この受入れ／分配層の下に配置された貯蔵層を備えるものである。この受入れ／分配層は、木材パルプ繊維と超吸収性材料との混合物を備え、これらは例えば１９８６年９月９日にＷｅｉｓｍａｎ及びＧｏｌｄｍａｎに発行された、発明の名称が「高密度吸収構造（Ｈｉｇｈ−Ｄｅｎｓｉｔｙ Ａｂｓｏｒｂｅｎｔ Ｓｔｒｕｃｔｕｒｅｓ）」という米国特許第４，６１０，４７８号に開示されている。この特許は参照してここに組込まれる。
【００６１】
トップシート８０は、吸収性コア８４の体側表面に隣接して配置され、これは好ましくは例えばこの技術でよく知られている接着手段（図示されていない）によって吸収性コア８４及びシャシー層４０に接着されている。適切な接着手段は、吸収性コアをシャシー層に接着させることに関して記載されているものである。ここで用いられている、「接着されている」という用語は、要素をもう１つの要素に直接付着させて、１つの要素をもう１つの要素に直接固定させる形状、及び要素を、これ自体がもう１つの要素に付着されている１つ又は複数の中間部材に付着させて、要素をもう１つの要素に間接的に固定する形状をも包含する。好ましい実施態様において、トップシートとシャシー層は、これらを吸収性コア又は弾性パネル部材、又はおむつのその他の要素に直接接着させて、間接的に接合される。
【００６２】
トップシート８０は好ましくは３つの部材構造を備えている。これは例えば１９８９年１月３日にＤｒａｇｏｏに発行された、発明の名称が「漏れ抵抗のある二重カフスを有する吸収体」という、米国特許第４，７９５，４５４号に開示されているものである。この特許は参照してここに組込まれる。図５に示されているように、トップシート８０は、第一層８６、及びこの第一層８６に接着され、この層から側面方向に外側に延びているバリヤー層８８を備えている。第一層８６は液体透過性材料であり、これは液体をその厚みを通って素早く透過させ、吸収性コアによって吸収されるようにするものである。２つのバリヤー層８８は、好ましくはおむつのサイド部からの漏れを防ぐために疎水性であり、より好ましくはストレッチラミネートを強化するために圧伸性がある。
【００６３】
第一層８６は好ましくは柔軟性があり、感触が柔らかく、装着者の皮膚に刺激を与えない。第一層は、液体透過性があり、液体（例えば尿）がその厚みを容易に透過することができる。適切な第一層は、多様な材料、例えば多孔質フォーム；網状化フォーム；開口プラスチックフィルム、あるいは三次元伸張成形フィルム；あるいは天然繊維、合成繊維、あるいは天然繊維と合成繊維との組合わせの織布又は不織布から製造することができる。好ましくは第一層は、ニュージャージー州ランディスビル（Ｌａｎｄｉｓｖｉｌｌｅ，Ｎ．Ｊ．）のファイバーテック社（Ｆｉｂｅｒｔｅｃ．Ｉｎｃ．）によって、６７０１という名称で製造されているものである。
【００６４】
図４に示されている実施態様において、第一層８６は、液体が第一層に沿ってかつこれを通っておむつの縁部まで滲み出ないように、液体がバリヤー層によって形成されている立ち上がりバリヤーカフスの下にこれを超えて滲み出ないように、かつより圧伸性の材料が、サイドパネルに配置されてより強いストレッチラミネートを生じるように、シャシー層と境を接していないのが好ましい。第一層は好ましくは、吸収性コアの体側表面の主要部分、より好ましくは少なくとも股部において吸収性コアの体側表面区域のすべての上に重なり、従っておむつに排出される滲出物が第一層を通って透過する。この第一層においてこれらは吸収性コアによって吸収される。第一層は吸収性コアのサイド縁部の方へ、好ましくは少なくとも股部において吸収性コアのサイド縁部を超えて、側面方向に外側に延びている。しかしながら第一層は股部の脚部縁部の内側で終わっている。最も好ましい形状において、第一層はバリヤー層の近位縁部に隣接して終了している（すなわち第一層の終了縁部は、近位縁部に隣接した位置にある）。あるいは終了縁部は、近位縁部から遠くに離れてこの近位縁部の内側に位置する。この文脈では、隣接とは、第一層が第一層材料の多少なりとも小さい面積の近位縁部において終了しているという意味で用いられている。第一層材料は、製造中の機械公差（ｍｅｃｈａｎｉｃａｌ ｔｏｌｅｒａｎｃｅｓ）又は第一層が製造された時のこの層の面積におけるバリエーションによって、近位縁部の内側に又はこれを超えて延びていてもよい。
【００６５】
図４に示されたトップシート８０の好ましい実施態様において、バリヤー層８８は弾性脚部部材５２（好ましくはガスケットカフス及び／又はバリヤーカフス）、及び好ましくはストレッチラミネートの一部を形成する。
【００６６】
図４に示されているガスケットカフス及び／バリヤーカフス弾性脚部部材を形成するために、バリヤー層８８は好ましくはフラップ部分９０と立ち上がり（通路）部分９２を有する。立ち上がり部分９２は、近位縁部９５と遠位縁部９５′とを有する。フラップ部分９０は好ましくはバリヤー層８８の連続セグメントであるが、フラップ部分９０は、フラップ部分９０が立ち上がり部分９２とは異なる物理的性質、サイズ、及び特性を有することができるように、立ち上がり部分９２に固定された異なる材料片から形成されていてもよい。実際にフラップ部分又は立ち上がり部分は、所望であればおむつから完全に省かれてもよい。立ち上がり部分９２は、米国特許第４，７９５，４５４号（Ｄｒａｇｏｏ）に記載されているような、バリヤーカフスのフラップを形成し、かつ画定している。立ち上がり部分の近位縁部９５は、好ましくは弾性脚部部材９６と長手方向中心線との間に配置され、最も好ましくは少なくとも股部３０において弾性脚部部材９６と吸収性コア８４のサイド縁部との間に配置され、近位縁部に沿ってシールを生じる。遠位縁部９５′は好ましくは、少なくとも股部３０においておむつのどの下部要素にも固定されず、立ち上がりバリヤーカフスを形成する。立ち上がり部分の末端部は、好ましくはおむつの下部構造に、すなわち第一層に、閉鎖手段９８、例えばここに記載された接着手段のどれかによって接着されて、バリヤーカフスの立ち上がり機能を強化する。従ってバリヤー層８８の立ち上がり部分９２は、おむつからの滲出物の漏れを減らすために好ましくは疎水性である。
【００６７】
本発明の好ましい実施態様において、前部２６及び後部２８におけるバリヤー層８８のフラップ部分９０の少なくともいくつかのセグメントは、各々サイドパネル６４及び６４′にストレッチラミネートを備えるために、機械的延伸に付される。従って少なくともフラップ部分９０、好ましくはバリヤー層８８全体は伸長性があり、より好ましくは圧伸性があり（しかしながら必ずしもエラストマー性はない）、従ってバリヤー層は、機械的延伸の際、少なくともある適度まで永久に伸長され、従ってこれはそのもとの形状に十分には戻らない。特に好ましい実施態様において、バリヤー層は、不当な破壊又は裂けを伴なわずに機械的延伸に付される。従ってバリヤー層は好ましくは伸長性があり、より好ましくは圧伸性があり、最も好ましくは疎水性の材料である。バリヤー層に適した材料には、ベルト層に適した層の多くが含まれる。バリヤー層として好ましい材料は、スパンボンデッドポリエチレン又はポリエチレンブレンド繊維ウエブを備えている。バリヤー層に適した材料は、ノースカロライナ州シンプソンビル（Ｓｉｍｐｓｏｎｖｉｌｌｅ，Ｎ．Ｃ．）のファイバーウエブ・エヌ・エイ（Ｆｉｂｅｒｗｅｂ Ｎ．Ａ．）によってＥ１００４２０３という名称で製造されている、スパンボンデッドポリエチレン繊維ウエブである。
【００６８】
おむつ２０はまた好ましくは、空気と水蒸気がパンツ型おむつ内に出入りできるような通気孔又は開口部を備えていてもよい。好ましい実施態様において、開口部はサイドパネルに配置されている。この形状において、滲出物の吸収性コアの隣接部位からの漏れが防がれ、空気及び水蒸気はこの製品において交換され、換気され、従って製品は体内からの汗によって過度に濡れたり、装着するのが不快になることはない。引っ張って身に着けるタイプの製品の他のパネル、又はパンツ型おむつのいくつかの部材にさらに通気孔が備えられてもよい。例えば、前部又は後部のウエストバンドパネルに通気孔が備えられて、ウエストバンド部位に換気及び通気性を生じるようにしてもよく、及び／又は通気孔が一体型ウエストキャップ／ウエストバンドに備えられて、この製品の換気をさらに強化してもよい。
【００６９】
おむつは好ましくはサイドパネルに複数の通気孔を有していることもある。これらの通気孔は、大きい開口部及び小さい開口部のある一定のパターンで配列されている。開口部は一般に、直径約０．３〜２．５ｍｍの範囲にあり、比較的大きい開口部は、好ましくは約１〜２ｍｍ、比較的小さい開口部は、直径約０．５〜０．９ｍｍの範囲にある。開口部は、布に孔又は開口部をパンチして、あるいは自己接着、例えば超音波又は熱／圧力技術によって孔を形成して作ることができる。このような開口部形成技術は、次の特許に記載されている。すなわち１９５１年３月６日にＣｕｔｌｅｒに発行された米国特許第２，５４４，０６９号；及び１９８９年５月３０日にＫｉｅｌｐｉｋｏｗｓｋｉに発行された米国特許第４，８３４，７３８号である。これらの各々は参照してここに組込まれる。好ましくは開口部は、製品の層のすべて、サイドパネルのストレッチラミネートの層のすべてを通って延びており、従って通気孔は製品の内側から外側へ延びている。あるいはまた通気孔は層の１つ又はそれ以上に作られていてもよく、あるいは通気孔は孔ではなくスリット又はカットを備えていてもよい。
【００７０】
あるいはまた通気性は、この技術において知られている空気又は蒸気透過性材料からおむつの材料を製造することによって備えることもできる。例えばシャシー層は通気性があるが（蒸気透過性）、液体不透過性プラスチックフィルムを備えていてもよい。弾性パネル部材は、パンツ型おむつの通気性をさらに強めるために、オープン材料、例えばフォーム、スクリム、不織布、又は通気性エラストマーフィルムであってもよい。
【００７１】
本発明のおむつ２０は、介護者によって付けることもでき、装着者が自分で付けることもできる。一般にウエスト開口部３６は、装着者が脚の一方を脚部開口部３４の１つに挿入することができるように伸張する。ついでもう一方の脚が、もう１つの脚部開口部３４の中に挿入される。ついでおむつ２０は、装着者の胴体の上に引張り上げられてその装着位置に入る。ストレッチラミネートによって作られた力の壁は特に、さらに伸張するのではなく、製品がお尻の上に無理に引き上げられることによって、おむつを自分で穿くのを助ける。ついでおむつが装着されるが、これは、排出された体内からの滲出物を封じ込めて保持することができる。おむつは、脚から引き下げられるか、あるいはシームに隣接するおむつの部分を裂くかして、装着者から除去される。
【００７２】
図６は、本発明のおむつのもう１つの実施態様の透視横断面図である。図６に示されているように、シャシー層５４０は、おむつ５２０の内側表面２４形成する。シャシー層５４０は従ってトップシートとして用いられる。このため、この実施態様において、シャシー層５４０は、好ましくは液体透過性不織布ウエブを備えている。シャシー層５４０は好ましくは、トップシートの第一層の形成に関してここで既に考察された不織布材料である。第一ベルト層５４２は、シャシー層５４０の外側表面５７７に隣接して配置されている。第二ベルト層（図示されていない）も、シャシー層の外側表面に隣接して配置されている。さらには中央バックシート層５１０は好ましくは液体不透過性プラスチックフィルムを備えており、これは、第一ベルト層５４２の内側表面、シャシー層４０の外側表面５７７に配置され、パンツ型おむつのバックシートとしての働きをする。弾性パネル部材７８は、シャシー層５４０と第一ベルト層５４２との間に配置され、前部ストレッチラミネートを形成する。吸収性コア８４は、好ましくはシャシー層５４０の外側表面５７７に配置され、好ましくはシャシー層５４０と中央バックシート層５１０との間に配置されている。弾性脚部部材のバリヤーカフス５１４は好ましくは、シャシー層５４０の内側表面５７６に接着された比較的狭い材料ストリップ（バリヤーフラップ）を備えている。これはＬａｗｓｏｎの前記引例の米国特許第４，６９５，２７８号に示されているようなものである。このバリヤーカフスのフラップは、不織布ウエブ、プラスチックフィルム、又は不織布ウエブとプラスチックフィルムとのラミネートを備えていてもよい。
【００７３】
図６に示されているように、ストレッチラミネートはさらに、好ましくはシャシー層５４０と弾性パネル部材７８との間に配置された強化層５１２を備えている。強化層５１２は、ストレッチラミネートに局部的な裂けも孔も作り出さずに、ストレッチラミネートの深い機械的延伸（引張り（ｓｔｒａｉｎｉｎｇ））を可能にするために、ストレッチラミネートを「歪強化する（ｓｔｒａｉｎ ｒｅｉｎｆｏｒｃｅ）」作用を行なう。既に考察されているように、特にストレッチラミネートに対してなされた機械的延伸操作によって受ける高い歪力において、他の材料よりも歪性が高い（ｍｏｒｅ ｓｔｒａｉｎａｂｌｅ）材料もある。従って歪性が高い材料と歪性があまり高くない材料とを接合させた結果、材料の不当な裂けも綻びも伴なわない、非常に高い程度まで歪性のある組合わせラミネートが生じる。このことは、シャシー層５４０が不織布生地を備えているこの実施態様において特に重要である。シャシー層５４０がおむつ５２０の場合にトップシートとして働くので、シャシー層５４０は一般に不織布材料を備えており、これは容易に液体透過性になるが、一般に他の不織布材料ほど圧伸性はない。従ってこの実施態様のシャシー層５４０は、ストレッチラミネートを形成するために機械的延伸操作を受ける場合、細断されるか又は裂ける傾向がある。機械的延伸の前にシャシー層５４０にラミネートされる場合、シャシー層５４０よりも圧伸性の高い材料である強化層５１２は、シャシー層５４０の裂けに橋を架けるか、これを繋ぎ、ストレッチラミネート全体が使用中に壊れたり孔ができたりしないようにする。
【００７４】
従って強化層５１２は、ストレッチラミネートに必要な強さを与えるために圧伸性のあるいくつかの材料を備えていてもよい。このような強化層の例には、プラスチックフィルム、開口プラスチックフィルム、例えばザ・プロクター・アンド・ギャンブル社によって販売されているＤＲＩ−ＶＥＡＶＥ、あるいは不織布ウエブが含まれる。好ましくはストレッチラミネートに通気性を備えるために、強化層は開口プラスチックフィルム又は不織布材料を備えている。より好ましくは強化層は、ここに記載されているベルト層として用いられる不織布を備えている。
【００７５】
前記のように、強化層は好ましくは比較的弱い層に強度を与えるために、これらの層の近くに配置される。図５に示された実施態様において、強化層５１２は、好ましくはシャシー層５４０の外側表面５７７に配置される。但しこれは所望であればシャシー層５４０の内側表面に配置されてもよい。追加の強化層が、ストレッチラミネートに備えられ、これの要素のどこに隣接して配置されてもよい。
【００７６】
図７は、図６に示されたおむつのもう１つの実施態様を示す。シャシー層６４０はトップシートとして機能する。第一ベルト層６４２は、シャシー層６４０の外側表面６７７の上の、好ましくは中央パネルのシャシー層６４０に直接隣接して配置される。弾性パネル部材７８は、第一ベルト層６４２とサイドパネルのシャシー層６４０との間に配置される。従って連続ベルトは間に入る要素を伴なわずに形成される。従って力は分散され、ウエスト開口部の周りに連続的に伝達されうる。中央バックシート層６１０は、第一ベルト層６４２の外側表面６１２に配置され、股部において、及び前部及び後部の中央パネルにおいて、おむつ６２０の外側表面２２を形成する。吸収性コア８４は、中央バックシート層６１０と第一ベルト層６４２との間に配置されている。第一ベルト層６４２が吸収性コア８４の表面に延びているので、第一ベルト層６４２はまた、好ましくは液体透過性である。従って第一ベルト層６４２は、ここで既に考察されたスパンボンデッドポリエチレン繊維不織布材料を備えていてもよい。しかしながらこれは、例えば適切な界面活性剤を添加して、十分に液体透過性にされる。また１つ又はそれ以上の強化層をサイドパネルに配置して、シャシー層６４０と第一ベルト層６４２の両方が不当に綻びたり裂けたりするのを防ぐようにしてもよい。
【００７７】
図８は、図６に示されたおむつのさらにもう１つの実施態様の透視横断面図である。この実施態様において、吸収性コア８４は、シャシー層７４０と、第一ベルト層７４２との間に配置されている。第一ベルト層７４２は、吸収性コア８４の衣類表面に配置されているので液体透過性である必要はないので、第一ベルト層７４２は、好ましくは圧伸性があり、ベルト層として用いるために既にここに記載されている材料を備えている。中央バックシート層７１０は、第一ベルト層７４２の外側表面７１２に配置されて、股部において、及び前部と後部の中央パネルにおいて、パンツ型おむつ７２０の外側表面２２を形成する。強化層（図示されていない）はまた、シャシー層７４０を強化するために、シャシー層７４０と弾性パネル部材７８との間に配置されてもよい。
【００７８】
図９の（Ａ）は、本発明のもう１つのバリヤーカフスの形状の横断面図である。図９の（Ａ）に示されているように、バリヤーカフス８１０のフラップは、バリヤー層８８の立ち上がり部分８９２を備えている。バリヤーカフス８１０は、近位縁部８９５と、遠位縁部８１２を有する。近位縁部８９５はシャシー層８４０に接着され、脚部開口部のサイドから滲出物が滲み出たり漏れたりするのを防ぐシールを生じる。遠位縁部８１２は、バリヤー層８８の一部をそれ自体の上に、及び弾性スペース部材９４の周りに折り畳んで形成される。弾性スペース部材９４は前記遠位縁部８１２に隣接して弾性的に収縮しうる条件下に、フラップすなわちバリヤー層８８に操作によって接着され、遠位縁部８１２は第一層８６から立ち上がるようにされる。封じ込め層８１４はフラップすなわちバリヤー層８８に接着される。封じ込め層８１４は好ましくは、バリヤーカフス８１０からの漏れをさらに防ぐために、液体不透過性フィルムである。封じ込め層８１４は好ましくはポリエチレンフィルムを備えている。封じ込め層８１４は好ましくは、側面方向に外側に近位縁部８９５を超えたばかりのところから、近位縁部８９５と遠位縁部８１２との中間点まで延びている。図９の（Ａ）に示された実施態様において、封じ込め層は、フラップの折り重ねられた部分間に配置されている。封じ込め層８１４は、近位縁部８９５を超えて延びており、近位縁部８９５においてさらに不浸透性シールを生じる。封じ込め層８１４は好ましくは、遠位縁部８１２まで延びておらず（この実施態様においては、遠位縁部から約６．３５ｍｍ（約０．２５インチ）、良好な皮膚の健康状態を維持するために遠位縁部８１２に隣接して通気性部分を生じる。従ってバリヤーカフス８１０は、バリヤーカフス８１０の基底部において液体及び気体透過性であり、漏れを防ぐ一方で、遠位縁部８１２に隣接して気体透過性であり、バリヤーカフス８１０の柔らかさと通気性を強化する。
【００７９】
前記近位縁部と前記遠位縁部との中間にある前記フラップと操作によって接合された第二弾性スペース部材８９４によって、好ましくは弾性スペース部材９４から少なくとも約１２．５ｍｍ（約０．５インチ）のところに第二「バリヤー」が作り出される。第二弾性スペース部材８９４は好ましくは、フラップと封じ込め層８１４との間でフラップに接着される。封じ込め層は最も好ましくは間隔をあけて配置されたゾーンにおいて（近位縁部８９５に隣接し、フラップの折り重ねられた部分に隣接して）フラップに接着され、従って封じ込め層の中間部分がフラップに固定されていないので、第二弾性スペース部材は好ましくはこの中間部分に隣接してフラップに接着され、従って第二スペース弾性部材はフラップが封じ込め層８１４から離れるように間隔をあけて配置され、ポケットを形成する傾向がある。従って第二弾性スペース部材８９４は、不織布フラップのみが体と接触するので、体に隣接したところに、より通気性のあるフラップ部分を生じる。従って第二弾性スペース部材８９４は好ましくは、弾性スペース部材９４よりも小さい力でフラップに操作によって接合され、弾性スペース部材９４の機能に影響を与えないが、封じ込め層８１４から離れるように間隔をあけてフラップを配置する。第二弾性スペース部材８９４は弾性的に収縮しうる条件で操作によって接着され、好ましくはその末端部にのみ隣接して固定され、従って中間部分はフラップに固定されず（すなわちこれは、１９８９年３月２８日にＲｉｃｈａｒｄｓｏｎに発行された、発明の名称が「脚部に合った改良カフスを有する使い捨ておむつ（Ｄｉｓｐｏｓａｂｌｅ Ｄｉａｐｅｒ Ｈａｖｉｎｇ Ａｎ Ｉｍｐｒｏｖｅｄ Ｌｅｇ Ｃｏｎｆｏｒｍｉｎｇ Ｃｕｆｆ）」という米国特許第４，８１６，０２５号に記載されているような引きひも型弾性を形成するように固定される）、第二弾性スペース部材８９４がフラップの内部の、フラップと封じ込め層とによって画定される空間内で浮くようにされ、柔らかさと柔軟性を生じさせると同時に、通気性不織布フラップを封じ込め層から間隔をあけて配置することによって、よりよい通気性／皮膚の健康を生じさせ、体と接触させる。
【００８０】
前記バリヤーカフスの実施態様に関するさらに好ましい実施態様として、カフスの高さとバリヤーカフスの間隔あけは、バリヤーカフスがパンツ型おむつに接着される方法によって調節することができる。図９の（Ｂ)は、カフスの高さとカフスの間隔あけを最適化するために、バリヤーカフス８１０がトップシート８０にどのように接着されるかを示している。フラップの内側表面はおむつに接着されるが、典型的にはトップシート８０に、その末端部において近位縁部から側面方向に内側に、第一閉鎖手段８１６によって、カフスの高さの約半分の位置に（第二弾性スペース部材８９４に隣接して）接着される。ついで遠位縁部８１２は側面方向に外側に近位縁部の方に折り返され、従って第一バリヤーセグメント８２０と第二バリヤーセグメント８２２が形成される。第二バリヤーセグメント８２２におけるフラップの外側表面は、第二閉鎖手段８１８によってフラップの末端部において、第一バリヤーセグメント８２０のフラップの外側表面に接着される。このように折ることによって、股部３０においてカフスのより広い間隔あけと、より大きいカフスの高さを生じ、漏れ性能（特にＢＭ封じ込め）を有意に改良する。セグメントに沿う第二閉鎖手段８１８の位置決めは、カフスの高さとカフスの間隔あけを変えて様々なものであってもよいことに留意すべきである。カフスの高さは、引っ張って身に着けるタイプの衣類に関して特に重要なパラメーターである。その理由は、装着者の足がからまることがあるので、バリヤーカフスは装着する際に問題を生じることがあるからである。カフスの高さは好ましくは約４４．５ｍｍ（約１．７５インチ）より低く、さらに好ましくは約３１．７５ｍｍ〜約４４．５ｍｍ（約１．２５インチ〜約１．７５インチ）であり、股部３０におけるカフスの間隔あけは約６３．５ｍｍ（約２．５インチ）〜約９０ｍｍ（約３．５インチ）である。
【００８１】
図１０は、本発明のもう１つの実施態様を示す。この実施態様においては通気孔５４がサイドパネルに備えられ、各ウエストバンドパネルにおいてシャシー層９４０の一部が除去されている（「窓があけられている」）。シャシー層のこの部分は、ウエストバンドパネル６０及び６０窒ノ高い通気性を与えるために除去されている。従ってウエストバンドパネルのベルトは、各ベルト層（第一ベルト層４２又は第二ベルト層４４）、トップシート８０の第一層８６、及びいくつかのセグメントにおいて一体型ウエストキャップ／ウエストバンド８２を備えている。ベルト層及びトップシートの第一層はどちらも好ましくは不織布ウエブなので、水蒸気がおむつの内外を通り、これによっておむつの全体的な通気性が強められる。通気孔５４は、ここに既に記載されているものと同様であり、サイドパネルに高い通気性を生じる。
【００８２】
図１１は、本発明のおむつのさらにもう１つの実施態様を示す。シャシー層１０４０はまた、ベルト層としても用いられる。シャシー層１０４０はまた、前部と後部の両方、及び股部において、おむつ１０２０の外側表面２２を生じる。この実施態様において、シャシー層１０４０は好ましくは不織布ウエブを備えており、おむつ全体に布の衣類という感触と外見を与える。トップシート８０は、第一層８６と、1対のバリヤー層８８とを備えている。この実施態様において、おむつ１０２０は、複合バックシートを備えており、このバックシートは、吸収性コア８４用のバックシートとしての働きをし、またサイドパネルのストレッチラミネート用の強化層としての働きをする。この実施態様において、バックシートは中央バックシート層１００２と、１対のバックシート強化層１００４とを備えている。中央バックシート層１００２は、好ましくは吸収性コア８４の内部に滲出物を封じ込めるために液体不透過性フィルムである。しかしながら中央バックシート層１００２は機械的延伸に付される必要はないので、ここで既に記載されているように液体不透過性・蒸気透過性フィルムを備えて、股部、及び前部と後部の中央パネルにおいて製品に全体的な通気性を与えてもよい。バックシート強化パネル１００４は機械的延伸に付されるので、これらは、好ましくはここで既に記載されたような強化層として用いるのに適したあらゆる材料を備えており、これらの材料には不織布ウエブ又はプラスチックフィルムが含まれる。例証されている実施態様において、バックシート強化層１００４は、図１〜５の実施態様に関してシャシー層として用いられるプラスチックフィルムを備えている。バックシート強化層が中央バックシート層と重なり合うのが好ましく、より好ましくはこれと接着されるが、バックシート強化層はあるいはまた、中央バックシート層から側面方向に外側に間隔があけて配置され、この中央バックシート層に固定されず、従ってバックシート強化層は独立した強化層としての働きをする。中央バックシート層１００２及びバックシート強化層１００４はどちらも好ましくは各々プラスチックフィルムを備えているので、製造中の取扱いを容易にするために、パンツ型おむつに組込まれる前に、これらの層は接合されてもよい。弾性パネル部材７８は好ましくは、シャシー層１０４０とバックシート強化層１００４との間に配置されて、ストレッチラミネートを生じる。
【００８３】
本発明の特別な実施態様が例証され、記載されてはいるが、その他の様々な変更及び修正も、本発明の精神及び範囲から逸脱することなく行なうことができることは当業者には明白であろう。従って、この発明の範囲内にあるこのような変更及び修正はすべて、添付クレームにおいてカバーするものとする。
【図面の簡単な説明】
【００８４】
【図１】図１は、典型的な使用形状における本発明の引っ張って身に付けるタイプの使い捨て衣類の透視図である。
【図２】図２は、平らな非収縮状態にある本発明の引っ張って身に付けるタイプの使い捨て衣類の簡略平面図であり、この衣類の様々なパネル又はゾーンを示している。
【図３】図３は、平らな非収縮状態にある本発明の引っ張って身に付けるタイプの使い捨て衣類の平面図であり、外側表面を示しており、下部構造を示すために切り取られた部分を有している。
【図４】図４は、図３の切断線４−４に沿う断片図である。
【図５】図５は、平らな非収縮状態にある本発明の引っ張って身に付けるタイプの使い捨て衣類の平面図であり、内側表面を示しており、下部構造を示すために切り取られた部分を有している。
【図６】図６は、本発明の引っ張って身に付けるタイプの使い捨て衣類のもう１つの実施態様の断面透視図である。
【図７】図７は、本発明の引っ張って身に付けるタイプの使い捨て衣類のさらにもう１つの実施態様の断面透視図である。
【図８】図８は、本発明の引っ張って身に付けるタイプの使い捨て衣類のさらにもう１つの実施態様の断面透視図である。
【図９】（Ａ）は、本発明の引っ張って身に付けるタイプの使い捨て衣類に用いられる股部におけるもう１つの弾性脚部部材の断片横断面図である。
【００８５】
（Ｂ）は、前部における図８に示された脚部部材の断片横断面図である。
【図１０】図１０は、本発明のもう１つの実施態様の平面図であり、ここにおいては、ウエストバンドパネルにおいて、引っ張って身に付けるタイプの使い捨て衣類の通気性を増すために、シャシー層に「窓があけられている」。
【図１１】図１１は、本発明の引っ張って身に付けるタイプの使い捨て衣類のさらにもう１つの実施態様の横断面透視図である。
【図１２】図１２は、本発明のシームパターンの平面図である。
【図１３】図１３は、本発明のストレッチラミネートにおける弾性パネル部材として用いられる、特に好ましいエラストマー材料サンプルの１インチ幅あたりの応力／歪曲線（ｇ）のグラフである。
【図１４】図１４は、通気孔を有していない本発明のストレッチラミネートサンプル１インチ幅あたりの延びと回復の両方の応力／歪曲線（ｇ）のグラフである。
【図１５】図１５は、図１４のストレッチラミネートサンプル１インチ幅あたりの応力／歪曲線（ｇ）のグラフであり、これらのストレッチラミネートによって発生する力の壁（ｆｏｒｃｅ ｗａｌｌ）を示している。
【符号の説明】
【００８６】
２６…前部、２８…後部、３０…股部、３８…連続ベルト、４０…シャシー層、４２…第一ベルト層、４４…第ニベルト層、５０…弾性ウエスト部材、６４，６４’…サイドパネル、６６，６６’…シームパネル、７０，７０’…末端縁部、７１，７１’…脚部縁部、７２，７２’…サイド縁部、７４…脚部縁部、７６…内側表面、７７…外側表面、８４…吸収性コア、８６…液体透過性第一層、８８…バリヤー層、９０…フラップ部分、９２…立ち上がり部分、９４…弾性スペース部材、９６…弾性脚部部材
【図１】
2004305767.tif 000003
【図２】
2004305767.tif 000004
【図３】
2004305767.tif 000005
【図４】
2004305767.tif 000006
【図５】
2004305767.tif 000007
【図６】
2004305767.tif 000008
【図７】
2004305767.tif 000009
【図８】
2004305767.tif 000010
【図９】
2004305767.tif 000011
【図１０】
2004305767.tif 000012
【図１１】
2004305767.tif 000013
【図１２】
2004305767.tif 000014
【図１３】
2004305767.tif 000015
【図１４】
2004305767.tif 000016
【図１５】
2004305767.tif 000017